(57)【特許請求の範囲】
【請求項１】
各場へ牌を供給するため前記各場に対応して設けられた複数の開口を具えた天板を有する本体と、磁性体を埋設した牌を攪拌するため前記本体内に設けられた攪拌装置と、前記攪拌装置から牌を汲み上げるため前記各場に対応して設けられた複数の汲上機構と、前記汲上機構に対応して設けられ、対応する汲上機構によって汲み上げられた牌を押出機構に案内して、該押出機構から配牌ブロックと２段積牌ブロックを形成して待機させる待機機構が配備され、形成された配牌ブロック及び２段積牌ブロックを対応する開口から供給するための複数の形成・供給機構とを備えて成る自動麻雀卓において、
前記押出機構によって配牌ブロックと２段積牌ブロックを前記待機機構に形成する際に、２段積牌ブロックの先頭の上段に牌がある状態と、２段積牌ブロックの先頭の上段を欠く状態とを選択して実行する制御装置を設けたことを特徴とする４人麻雀用及び３人麻雀用の配牌２段積牌ブロックを形成する自動麻雀卓。
【請求項２】
前記押出機構には案内された牌を載置する載置台と該牌を移動させる押し片を設け、前記待機機構には移動された該牌を待機させる待機台を設け、前記２段積牌ブロックの先頭の上段を欠く状態は、載置台上に案内された牌を、所定数だけ順次押し片によって待機台に押し込み、２段積牌の１段目の所定数を整列形成した後、待機台を牌の厚さ分下降して、１段目と同数の牌を１段目上に整列形成した後、待機台を元位置に上昇させ、最後の１牌を押し片によって押し込むことによって形成したことを特徴とする請求項１に記載の４人麻雀用及び３人麻雀用の配牌２段積牌ブロックを形成する自動麻雀卓。
【請求項３】
前記押出機構には案内された牌を載置する載置台と該牌を移動させる押し片を設け、前記待機機構には移動された該牌を待機させる待機台を設け、前記２段積牌ブロックの先頭の上段を欠く状態は、前記押し片の移動量を牌1個分と牌２個分とを待機台に移動する制御装置を設け、通常は牌１個分の移動量で２段積牌の１段目の所定数を整列形成し、２段目は牌１個分の移動量、又は、牌２個分の移動量で整列形成し、少なくとも最後の牌は牌２個分の移動量で押し込むようにして整列形成し、最後に１段目の末端の牌の上面には牌が存在しないように形成したことを特徴とする請求項１に記載の４人麻雀用及び３人麻雀用の配牌２段積牌ブロックを形成する自動麻雀卓。
【請求項４】
前記押出機構には案内された牌を載置する載置台と該牌を移動させる押し片を設け、該牌を待機機構には第１待機台と、前記載置台と第１待機台と間に１牌を載置する第２待機台を設け、前記２段積牌ブロックの先頭の上段を欠く状態は、第１待機台と第２待機台とによる待機台に２段積牌の１段目の所定数を整列形成し、その内の第２待機台の牌1個を残して、第１待機台を降下させて、１段目の牌の上面に前記残された牌１個を先頭にして２段目を、所定数だけ順次押し片によって押し込み、２段目を整列形成させた後、第２待機台を下降させることによって形成したことを特徴とする請求項１に記載の４人麻雀用及び３人麻雀用の配牌２段積牌ブロックを形成する自動麻雀卓。
【発明の詳細な説明】
【技術分野】
【０００１】
本発明は、卓内に投入された１組の牌を攪拌処理した後、４人麻雀と３人麻雀に対応して、自動的に配牌と２段積み牌の整列牌を天板上に押し上げることのできる自動麻雀卓に関する。
【背景技術】
【０００２】
従来の自動麻雀卓において、２組の牌を用い、使用済み牌を卓内に投入して攪拌後に、井桁状の２段積み牌に形成・待機させ、次のゲームの開始に当たってスタートスイッチを押下すると、卓内に形成・待機された井桁状の２段積み牌が天板上に押し出されるようにすることは周知である。
このような従来型の自動麻雀卓においては、人手によって配牌を行うと共に懸賞牌の反転を行っているが、かかる行為は、煩わしい上に、間違えたり、２段積み牌を崩してしまったりするという問題点を有している。
【０００３】
そこで、本出願人は特許文献１(特許3996025号公報)、特許文献２(特許4000284号公報)、特許文献３(特許4367956号公報)に開示されるように、配牌をも自動で行う自動麻雀卓を提供し製品化した。このような配牌を行う麻雀卓では、上記従来の麻雀卓の問題点を解消するとともに、人手で配牌を行う時間分ゲーム時間を短縮できる効果がある。
ところで、普通、自動麻雀卓は、卓内の選択スイッチによって、さまざまなゲームモードに対応できる。例えば、一例であるが、３人麻雀用をも含む図４４の表１に示すようにゲームモードに対応して、所定の牌数の２段積み牌を形成できる。ゲームモード４は４人で行う麻雀で１３６牌を使用してゲームを行うのが一般的であるが、ゲームモード５、６では花牌をいれるため牌数が多くなる。
【０００４】
一方、３人で麻雀を行うゲームも近年盛んで、例えばゲームモード１では、ゲームモード４の１３６牌に対して、萬子の２〜８が除かれた１０８牌でゲームが行われるのが一般的である。
普通、上記特許文献１乃至３に開示した、配牌も自動で行う自動麻雀卓では、図４４(特許文献1の図32と同じ）に示すように、４人で行う４人麻雀では各場に１３牌の均等数の配牌を行い、各人に均等に１３牌の配牌が行われるから、親が２段積み牌から１牌つもることによりゲームが開始される。
ところが、３人で行う３人麻雀では、１３牌ではなく取りあえず１２牌の配牌が行われる。これは、３人で行う３人麻雀の場合、配牌数のトータルが奇数になるので２段積み牌も奇数になる。したがって、１３牌の配牌にするためには、最初につもる位置である２段積み牌の先端の上段が欠けている状態にしなければならない。そのため、上述したように配牌数のトータルが偶数になる１２牌を各場に自動配牌し、各自が、２段積み牌から１牌ずつ取ることにより１３牌の配牌になるようにしているのであるが、このような作業は、煩わしく、取り忘れのトラブルが発生する虞があった。
【先行技術文献】
【特許文献】
【０００５】
【特許文献１】特許３９９６０２５号公報
【特許文献２】特許４０００２８４号公報
【特許文献３】特許４３６７９５６号公報
【発明の開示】
【発明が解決しようとする課題】
【０００６】
本発明は、これらの問題点に鑑みてなされたもので、３人で行う３人麻雀の場合、配牌数のトータルが奇数になるので２段積み牌も奇数になるが、最初に積もる位置である２段積み牌の先端の上段が欠けている状態に自動的に形成することができ、４人で行う麻雀でも、３人で行う麻雀でも自動的に配牌と２段積み牌を形成することができる自動麻雀卓を提供することができる。
【課題を解決するための手段】
【０００７】
上記課題を解決するために、請求項１の発明は、各場へ牌を供給するため前記各場に対応して設けられた複数の開口を具えた天板を有する本体と、磁性体を埋設した牌を攪拌するため前記本体内に設けられた攪拌装置と、前記攪拌装置から牌を汲み上げるため前記各場に対応して設けられた複数の汲上機構と、前記汲上機構に対応して設けられ、対応する汲上機構によって汲み上げられた牌を押出機構に案内して、該押出機構から配牌ブロックと２段積牌ブロックを形成して待機させる待機機構が配備され、形成された配牌ブロック及び２段積牌ブロックを対応する開口から供給するための複数の形成・供給機構とを備えて成る自動麻雀卓において、
前記押出機構によって配牌ブロックと２段積牌ブロックを前記待機機構に形成する際に、２段積牌ブロックの先頭の上段に牌がある状態と、２段積牌ブロックの先頭の上段を欠く状態とを選択して実行する制御装置を設けた４人麻雀用及び３人麻雀用の配牌２段積牌ブロックを形成する自動麻雀卓である。
【０００８】
請求項２の発明は、前記押出機構には案内された牌を載置する載置台と該牌を移動させる押し片を設け、前記待機機構には移動された該牌を待機させる待機台を設け、前記２段積牌ブロックの先頭の上段を欠く状態は、載置台上に案内された牌を、所定数だけ順次押し片によって待機台に押し込み、２段積牌の１段目の所定数を整列形成した後、待機台を牌の厚さ分下降して、１段目と同数の牌を１段目上に整列形成した後、待機台を元位置に上昇させ、最後の１牌を押し片によって押し込むことで形成した請求項１に記載の４人麻雀用及び３人麻雀用の配牌２段積牌ブロックを形成する自動麻雀卓である。
【０００９】
請求項３の発明は、前記押出機構には案内された牌を載置する載置台と該牌を移動させる押し片を設け、前記待機機構には移動された該牌を待機させる待機台を設け、前記２段積牌ブロックの先頭の上段を欠く状態は、前記押し片の移動量を牌1個分と牌２個分とを待機台に移動する制御装置を設け、通常は牌１個分の移動量で２段積牌の１段目の所定数を整列形成し、２段目は牌１個分の移動量、又は、牌２個分の移動量で整列形成し、少なくとも最後の牌は牌２個分の移動量で押し込むようにして整列形成し、最後に１段目の末端の牌の上面には牌が存在しないように形成した請求項１に記載の４人麻雀用及び３人麻雀用の配牌２段積牌ブロックを形成する自動麻雀卓である。
【００１０】
請求項４の発明は、前記押出機構には案内された牌を載置する載置台と該牌を移動させる押し片を設け、該牌を待機機構には第１待機台と、前記載置台と第１待機台と間に１牌を載置する第２待機台を設け、前記２段積牌ブロックの先頭の上段を欠く状態は、第１待機台と第２待機台とによる待機台に２段積牌の１段目の所定数を整列形成し、その内の第２待機台の牌1個を残して、第１待機台を降下させて、１段目の牌の上面に前記残された牌１個を先頭にして２段目を、所定数だけ順次押し片によって押し込み、２段目を整列形成させた後、第２待機台を下降させることによって形成した請求項１に記載の４人麻雀用及び３人麻雀用の配牌２段積牌ブロックを形成する自動麻雀卓である。
【発明の効果】
【００１１】
本発明の自動麻雀卓によれば、４人で行う麻雀でも、３人で行う麻雀でも自動的に１３牌の配牌を行うことができ、かつ、２段積み牌も自動的に形成することができる。すなわち、３人で行う３人麻雀の場合、配牌数のトータルが奇数になるので２段積み牌も奇数になるが、最初につもる位置である２段積み牌の先端の上段が欠けている状態に自動的に形成することができ、従来のように、配牌数のトータルが偶数になる１２牌を各場に自動配牌し、各自が、２段積み牌から１牌ずつ取ることにより１３牌の配牌にする必要がなく、煩わしさや取り忘れのトラブルが発生することがない。
【図面の簡単な説明】
【００１２】
【図１】本発明による自動麻雀卓の実施の形態の一例を概略的に示す斜視図。
【図２】図１に示す自動麻雀卓において使用される牌の構成を示す図。
【図３】天板を取り外した場合の自動麻雀卓本体内の概略平面図。
【図４】図３に示すターンテーブル上の牌を汲み上げるための汲上機構を説明するための平面図。
【図５】図４の斜視図。
【図６】図４に示す円筒回転体の平面図。
【図７】図４に示す円筒回転体の側面図。
【図８】図４に示す進入口開閉機構の斜視図。
【図９】汲上機構の一連の動作について説明するための斜視図。
【図１０】牌が整列機構により整列する動作の一例について説明するための図９の部分展開図。
【図１１】牌が整列機構により整列する動作の他の例について説明するための図９の部分展開図。
【図１２】図９に示す円盤回転体の平面図と側面図。
【図１３】図９に示す振り分け板を説明するための図。
【図１４】振り分け板が下載置台に向けられているときの牌の移送状態を説明する図。
【図１５】振り分け板が上載置台に向けられているときの牌の移送状態を説明する図。
【図１６】振り分け板が上載置台に向けられているときの牌の移送状態を説明する図。
【図１７】牌反転機構により牌を反転させるときの動作について説明する図。
【図１８】牌反転機構により牌を反転させるときの動作について説明する図。
【図１９】牌反転機構により牌を反転させるときの動作について説明する図。
【図２０】図１９に示す押出機構の載置部の斜視図。
【図２１】押出機構の斜視図。
【図２２】押出機構の立面図。
【図２３】図２２に示す待機台を上下動させるための構成について説明する図。
【図２４】待機機構、昇降台機構、押板機構を駆動させるための構成を説明する平面図。
【図２５】図２２に示す配牌台の回動運動について説明するための図。
【図２６】配牌台、待機台と昇降台機構、押板機構との概略構成図。
【図２７】図２６に示す昇降台機構の斜視図。
【図２８】昇降台機構の正面図。
【図２９】図２７に示す摺動部材の駆動機構を説明するための説明図。
【図３０】図２６に示す押し板機構について説明するための立面図。
【図３１】自動麻雀卓の制御系統の構成を示すブロック図。
【図３２】２段積牌ブロックの形成、天板上への押し出しについての制御動作を説明するためのフローチャート。
【図３３】懸賞牌を形成した２段積牌ブロックの形成、天板上への押し出しの場合の制御動作を説明するためのフローチャート。
【図３４】配牌ブロック及び２段積牌を天板上に順次押し上げる場合の動作を説明するためのフローチャート。
【図３５】４人用（１３６牌）、懸賞牌なし、配牌なしに設定した場合の自動麻雀卓の動作について説明するための平面図。
【図３６】配牌分を除いた２段積み牌の配列パターンを示す平面図。
【図３７】本発明を実施した３人用及び４人用のゲームモードと配列パターンの一例を示す[表１]の図。
【図３８】４人麻雀用の場合の配牌と２段積み牌(１３６牌)の形成プロセスを示す[表２]の図。
【図３９】３人麻雀用の配牌と２段積み牌(１０８牌)の形成プロセスを示す[表３]の図。
【図４０】３人麻雀における配牌と２段積み牌（１０８牌）の配列パターンを示す平面図。
【図４１（ａ）】３人麻雀用の実施例１での２段積み牌の先頭の上段を欠いた形に形成する構成と第１工程の状態図、
【図４１（ｂ）】３人麻雀用の実施例１での積牌形成の第２工程の状態図、
【図４１（ｃ）】３人麻雀用の実施例１での積牌形成の第３工程の状態図、
【図４１（ｄ）】３人麻雀用の実施例１での積牌形成の第４工程の状態図。
【図４２】３人麻雀用の実施例２での構成と第１工程の状態図。
【図４３】３人麻雀用の実施例３での構成と第１工程の状態図。
【図４４】従来の特許文献１の（図３２）ゲームモードと配列パターンの一例を示す図である。
【発明を実施するための形態】
【００１３】
本発明の最も特徴とするところは、自動麻雀卓において、４人麻雀用の配牌・２段積み牌を全自動で行うことに加えて、３人麻雀用の配牌・２段積み牌の先端の上段の１牌が欠けた形状の２段積み牌を全自動で形成するものである。この為、後述する本発明の実施例１では図４１等に示すように、載置台上に送られた牌を、所定数、順次押し片によって待機台に押し込むことによって、まず、１段目の整列牌を形成し、待機台を牌の厚さ分下降させ、１段目と同数の整列牌を１段目上に形成した後、待機台を元位置に上昇させ、最後の１牌を押し片によって押し込んで、上段の先頭が欠けた状態の２段積み牌を形成させ本発明を実現させており、実施例２では、押し片を、図４２に示すように、押し片をラック・ピニオンなどの直線往復機構に連結し、センサによって移動量を検知し、原点（org）と、牌1個分(ａ)と牌２個分(ｂ)の移動量を制御し、通常は牌１個分の移動量で、１段目を形成し、２段目は、少なくとも最後の牌は牌２個分の移動量で押し込むようにして、先端の上段の１牌を欠けた形状にして本発明を実現させており、実施例３としては、従来の待機台（第１待機台）と載置台との間に１牌を待機する別の第２待機台を設けて、載置台上に送られた牌を順次押し片によって第２待機台から第１待機台へと所定数、押し込むことによって、従来の第１待機台と第２待機台上に１段目を形成し、1段目を所定数整列後、先頭の牌1個分を第２待機台上に残したまま第１待機台のみを牌の厚さ分下降させ、２段目も、載置台上に送られた牌を順次押し片によって第２待機台から第１待機台に押し込むことによって、第１待機台上に、所定数の２段目を整列させた後、最後の牌の載った第２待機台を下降させて、本発明を完成させている。
以下、図面を参照して本発明の好適な自動麻雀卓の実施例につき詳細に説明する。
【実施例１】
【００１４】
本発明の上記の操作を行うことができる実施例１の自動麻雀卓を説明する。
図１において、自動麻雀卓１は、本体２がスタンド３によって支えられており、本体２に設けられた天板４の中央部には牌を落とし込むための牌投入口４Ａが形成されている。牌投入口４Ａは蓋５によって開閉できる構成となっており、蓋５は図示しない開閉機構によって開閉される。本体２の中央に設けられている操作板６のスタートスイッチ６Ａを操作することにより開閉機構が作動して蓋５を下方に移動させ、牌を牌投入口４Ａから下方に落とし込むことができるようになっている。
天板４上であって、牌投入口４Ａと天板４の周縁との間には、配牌用の整列牌（以後、配牌ブロックと称する）ＢＡ及びプレー開始後にプレーヤが順番に取り込むための牌を２段積みとした２段積み整列牌（以後、２段積牌ブロックと称する）ＢＢを本体２の内部から天板４の上面に供給するための細長い矩形の４つの牌出口（開口）７Ａ、７Ｂ、７Ｃ、７Ｄが各プレーヤに対向するようにして形成されており、これらの牌出口７Ａ、７Ｂ、７Ｃ、７Ｄは、後述するようにして各ブロックを供給するときだけ開く構成となっている。
【００１５】
図２は、自動麻雀卓１において使用される牌１０の構成を示す図である。牌１０は合成樹脂の成形体として作られており、その内部に磁性体が埋設された構造となっている。本実施の形態においては、この磁性体として磁石１１が用いられており、磁石１１は牌１０の中央部に埋設されている。なお、自動麻雀卓１においては牌は２組用いられ、その一方の組で競技し、他方の組の牌は自動麻雀卓１内で攪拌処理して、配牌ブロックと２段積牌ブロックの２種の整列牌に形成して待機させておく構成となっている。
図１では図示するのを省略しているが、自動麻雀卓１の本体２の下方には、配牌有／無選択スイッチ、懸賞牌有／無選択スイッチ及びゲーム選択スイッチが設けられており、これらのスイッチを適宜に操作して目的に適ったゲームを行うことができるようになっている。また、ゲーム選択スイッチにより、３人用３種類、４人用３種類の計６種類のゲームモードを選択でき、各ゲームモードに対応した配列パターンが適用される。
【００１６】
図３は、自動麻雀卓１の内部機構を説明するための、天板４を取り外した場合の自動麻雀卓１本体２内の概略平面図である。本体２内の中央部分には、落とし込まれた牌を攪拌するための攪拌機構１００が設けられており、本体２の四隅部には、攪拌機構１００によって攪拌された牌を汲み上げるための汲上機構２００がそれぞれ設けられている。
攪拌機構１００は、中央部に対して外側がやや低く形成されている円形状のターンテーブル１０１と、ターンテーブル１０１を囲むように形成された外壁１０２と、一端がそれぞれターンテーブル１０１中心付近に固定された２つの棒状弾性体１０３、１０３と、ターンテーブル１０１の下面側にその周縁に沿って等間隔に設けられた４つの牌反転用磁石１０４と、ターンテーブル駆動機構１０５とを備えて成っている。ターンテーブル１０１の下には歯車１０６が設けられており、ターンテーブル１０１は歯車１０６と同期して回転するように構成されている。
【００１７】
歯車１０６は４つの汲上機構２００の各駆動用歯車２０１とそれぞれ噛み合っている。ターンテーブル駆動機構１０５は４つの駆動用歯車２０１のうちの１つを回転駆動させるため、その駆動用歯車２０１と一体に運動するタイミングプーリ２０２とタイミングベルト２０３を介して連結されている駆動モータ２０４を備えている。したがって、駆動モータ２０４が駆動されるとその回転がタイミングベルト２０３を介してタイミングプーリ２０２に伝達され、駆動用歯車２０１がタイミングプーリ２０２と一体に回転し、駆動用歯車２０１と噛み合っている歯車１０６が回転し、これによりターンテーブル１０１が矢印方向に回転する。
そして、ターンテーブル１０１の回転により、他の３つの駆動用歯車２０１も同時に回転する。図２２には、歯車１０６と駆動用歯車２０１との噛合状態が見えている。
【００１８】
図２２を参照すると、駆動用歯車２０１の中心には孔が設けられており、駆動用歯車２０１は該孔内に支持軸２０５が挿通されて回転自在に保持されている。
駆動用歯車２０１の下方においてタイミングプーリ２０２が駆動用歯車２０１に固定されている。そして、支持軸２０５に固着されたトルクリミッタ２０６の上部に形成された凸部と駆動用歯車２０１の下方に形成された凹部とが係合するように構成されている。したがって歯車１０６の回転に伴い駆動用歯車２０１が回転すると、駆動用歯車２０１に係合しているトルクリミッタ２０６が回転し、これにより支持軸２０５が回転する。トルクリミッタ２０６は支持軸２０５に過大な負荷が生じた時の衝撃をやわらげる役目を果たす目的で備えられている。
ターンテーブル１０１のやや上方には、適度な可撓性を持たせたコイルバネからなる棒状弾性体１０３、１０３が、各一端を中央部の保持体１１２に固定することによって放射状に配設されている。保持体１１２は回転せず静止したままであるから、ターンテーブル１０１が回転すると、牌投入口４Ａ（図１参照）よりターンテーブル１０１上に落とし込まれて山積み状となった牌１０は棒状弾性体１０３により押しやられ、牌１０は棒状弾性体１０３の手前側に集められて攪拌されることになる。この場合、牌１０はターンテーブル１０１の回転力により自ら棒状弾性体１０３を押して屈曲させながら徐々に外壁１０２側に向かって移動していく。
【００１９】
図４及び図５を参照して、ターンテーブル１０１の外壁１０２側に移動した牌を汲み上げるための汲上機構２００について説明する。
汲上機構２００は、前述の如く４つ設けられているが、４つの汲上機構２００は、全く同様に構成されているため、ここでは、そのうちの１つの汲上機構２００について説明する。汲上機構２００は、外壁１０２側に移動してきた牌１０を取り上げるための機構であり、牌１０を磁気力により吸着するための円筒回転体４０１と、円筒回転体駆動機構４０４とを備えて成っている。
【００２０】
先ず、円筒回転体４０１について図６及び図７を参照して説明する。図６は円筒回転体４０１の立面図、図７は円筒回転体４０１の平面図である。円筒回転体４０１は牌１０の縦幅と略等しい長さ（ｌL ）の高さ寸法を有した円筒形状をした樹脂材からなり、一側端から牌の横幅分の長さ（ｌs ）の位置には溝４０１Ａが形成されている。円筒回転体４０１の周面部位には、２カ所等間隔に、平伏牌の面積ほど平に削り落とした吸着面４０１Ｂが形成されており、その中心部には吸着面４０１Ｂから僅かな埋設深さ距離をもって、磁石４０１Ｃが埋設されている。
円筒回転体４０１には、内端縁側にテーパ付けされた比較的幅の狭いフランジ部４０１Ｅが形成されており、フランジ部４０１Ｅは、吸着面４０１Ｂに対応する部分に後端に僅かな傾斜部４０１Ｄを残して前記吸着面４０１Ｂと同面になるような切欠４０１Ｆが形成されている。
【００２１】
再び図４及び図５を参照すると、円筒回転体４０１の中心には回転軸４０５が嵌挿されていて、円筒回転体４０１はこの回転軸４０５に固定されており、この回転軸４０５は円筒回転体４０１を挟む案内部材５０１と反対側に設けた側壁を固定するベース（図示せず）とによって回転自在に支持されている。
円筒回転体４０１が固定されている回転軸４０５にはタイミングプーリ４０５Ａが固定的に取り付けられている。また、駆動用歯車２０１の上方には別の回転軸４０６が設けられており、この回転軸４０６にはタイミングプーリ４０６Ａが固定的に取り付けられている。回転軸４０５のタイミングプーリ４０５Ａと回転軸４０６のタイミングプーリ４０６Ａとはタイミングベルト４０７によって連結されており、回転軸４０６は支持軸２０５とカサ歯車４０８を介して連結されている。ここでは、駆動用歯車２０１が一回転すると円筒回転体４０１が一回転する構成となっている。円筒回転体４０１は、ターンテーブル１０１内を覗くように突出しており、且つ、円筒回転体４０１とターンテーブル１０１との隙間は牌１０の厚さよりやや広い程度になっていて、この間を通過する平伏状の牌１０を円筒回転体４０１に埋設した磁石４０１Ｃ（図６、図７参照）で吸着して牌を汲み上げることができるようになっている。
【００２２】
円筒回転体４０１に埋設した磁石４０１Ｃの極性と、牌１０に埋設した磁石１１の極性との関係は、牌１０が字面を上にした状態で円筒回転体４０１に吸着するように定められている。例えば牌１０の字面側をＳ極とした場合、吸着面４０１Ｂ側がＮ極となるように各磁石が埋設されている。
円筒回転体４０１に上述の如くして吸着された牌１０の汲み上げ許可、禁止の制御を可能とするため、円筒回転体４０１の周面に接近して進入口開閉機構４５０が設けられている。
進入口開閉機構４５０は、仕切片４５１を牌１０の進入を許す開位置又は牌１０の進入を禁止する閉位置に位置決めすることができるようにしたもので、仕切片４５１をリンク機構４５２を介してソレノイド４５３に連結した構成となっている。
【００２３】
図８を参照して進入口開閉機構４５０について説明する。仕切片４５１は板状部材であり、支持軸４５４に揺動自在に取り付けられている（図５参照）。そして、仕切片４５１には、仕切片４５１を開閉駆動するためのソレノイド４５３がリンク機構４５２を介して連結されている。図５及び図８に示すように、仕切片４５１の上部にはスリーブ４５５が設けられており、案内部材５０１と反対側に設けた側壁との間に設けた支持軸４５４にスリーブ４５５が挿通することによって仕切片４５１が揺動自在に支持されている。リンク機構４５２の短いリンク４５６の下端４５６Ａは案内部材５０１に回動自在に支持され上端４５６Ｂには支軸４５７が設けられていて、支軸４５７は仕切片４５１内に適当な深さではまっている。ソレノイド４５３のプランジャー４５３Ａにはコイルバネ４５３Ｂが設けられており常に長いリンク４５８を前方に押している。これによりソレノイド４５３に通電すると長いリンク４５８がソレノイド４５３側に引かれて仕切片４５１はソレノイド４５３側に回動し、牌１０の進入を禁止する閉位置に位置決めされる。また、ソレノイド４５３への通電を中止すると長いリンク４５８がコイルバネ４５３Ｂによって前方に押されて仕切片４５１はソレノイド４５３から離れる方向に回動し、牌１０の進入を許可する開位置に位置決めされる。
【００２４】
ここで、図３を参照して牌１０がターンテーブル１０１から汲上機構２００に移動してくるまでの状態について説明する。ターンテーブル１０１の下面に設けた牌反転用磁石１０４の極性は、字面を下にしている平伏牌を反転するように定められている。上述の例で言えば、Ｓ極を上側にして設置される。この牌反転用磁石１０４の作用によって、ターンテーブル１０１の周縁付近を移動する牌のうち、字面を下にしている牌１０はこの牌反転用磁石１０４の頭上において反発力を受けて反転し、字面が上面側となる。
円筒回転体４０１の手前には、ターンテーブル１０１から牌の厚さ分よりやや高く離れた位置に、外壁１０２から内側に向かって突設した湾曲状の障害壁１１３が設けられており、ターンテーブル１０１の周縁を移動している牌１０のうち、平伏牌においては容易に障害壁１１３の下を通過できるようにし、字面を横に向けた状態の立牌は、この障害壁１１３に邪魔されて転倒、又は、立牌状態で湾曲縁に沿って移動するようになっている。そして字面を上にした牌１０は円筒回転体４０１下方に到達するようになっている。
【００２５】
図９を参照してターンテーブル１０１上から牌が汲み上げられる際の汲上機構２００の一連の動作について説明する。円筒回転体４０１の吸着面４０１Ｂがターンテーブル１０１の面と対向している状態のとき、ターンテーブル１０１上に字面を上側にして載っている牌１０が、ターンテーブル１０１と円筒回転体４０１の吸着面４０１Ｂとの間に進入してくると、円筒回転体４０１内の吸着面４０１Ｂ下方に埋設されている磁石４０１Ｃと牌１０内の磁石１１との間に磁気吸引力が働き、牌１０が吸着面４０１Ｂに吸着される。牌１０を吸着面４０１Ｂに吸着した円筒回転体４０１がＸ方向に回転することにより牌１０は汲み上げられる。
汲上機構２００によって汲み上げた牌１０を縦長方向に整列させるための整列機構５００について説明する。整列機構５００は、案内部材５０１と誘導路５０４とを備えて成っている。汲上機構２００によって汲み上げられた牌１０は、案内部材５０１によってその縦長の方向に進行するように向きを変更しつつ誘導路５０４に送り込まれる構成となっている。
【００２６】
図１０及び図１１を参照して、吸着面４０１Ｂに様々な角度にて吸着した牌１０が、整列機構５００により縦長方向に整列する動作について説明する。案内部材５０１の入り口付近で吸着面４０１Ｂからはみ出た側面が、案内部材先端５０２に接触して抵抗を受けるが、牌１０に埋設されている磁石１１の中心が、円筒回転体４０１に埋設されている磁石４０１Ｃの中心に吸引されて回転しながら向きを変え、当該側面が案内部材５０１の内壁面５０１Ａと並行状態になって整列機構５００の内部に進入する。
【００２７】
図１０は牌の長手側面が案内部材先端５０２に接触する様子を示したもので牌１０は縦長の状態で整列機構５００の内部に進入する。この状態で進入した牌１０は案内部材５０１の途中に用意されている切欠５０３を通過して上部に到達する。案内部材５０１の内壁は上部付近にて緩やかに外側に向かっていて、牌１０は向きを外側に向けると共に吸着面４０１Ｂからはみ出していく。牌１０の中心が最高点を通過すると牌１０は下方に向きを変えるがこのとき牌１０の先頭部分は誘導路５０４の入り口付近に到達する。誘導路５０４は両側を案内部材５０１と側壁に囲まれたスロープからなり、図示するようにスロープ先端の一部は溝４０１Ａ内に突出している。案内部材５０１によって吸着面４０１Ｂから外側に逸脱した牌１０の先端はこのスロープ先端を跨ぐようにして誘導路５０４内に進入する。
【００２８】
図１１は牌１０の短手側面が案内部材先端５０２に接触する様子を示したものである。牌１０は短手側面が案内部材先端５０２に接触して図１０の場合と同様に回転するが、牌１０は傾斜部４０１Ｄを跨いだ形で横長の状態になって内部に進入する。このとき牌１０に埋設されている磁石１１の中心が、円筒回転体４０１に埋設されている磁石４０１Ｃの中心より外側に偏っているため、牌１０は内側に吸引力を受け、当該側面は案内部材５０１の内壁面５０１Ａに圧接した状態で整列機構５００の内部に進入する。
牌１０の中心が切欠５０３に到達すると、内壁に当接している側面は抵抗を受けているため牌１０は切欠先端５０５を中心に回転し牌１０の一部は切欠５０３内に進入する。このとき傾斜部４０１Ｄによって僅かに浮き上がっていた牌１０の一端が傾斜部４０１Ｄ上を滑落して牌１０の回転を加速する。なお、傾斜部４０１Ｄは回転を補助するためであって特に設けなくともよい。この状態で牌１０が更に進むと、牌長手側面が切欠後端５０６に接触し、再度回転して長手側面を案内部材５０１の内壁面５０１Ａに当接して前進する。上述の如く、様々な角度で円筒回転体４０１に吸着した牌１０は整列機構５００により一定の向きに制御される。
【００２９】
図４、図５、図９に示されるように、案内部材５０１の頂上付近にて内壁に設けられた孔内には反射型フォトセンサからなる入口センサ４０３が設けられており、牌１０は入口センサ４０３によりその進入が電気的に検知される。そして円筒回転体４０１によって送られてきた牌１０は、円筒回転体４０１の頂上付近において誘導路５０４の一端５０４Ａにより捕捉され、円筒回転体４０１の回転につれて吸着面４０１Ｂより剥離され、下方に向けて傾斜している誘導路５０４に沿って自重によって自然落下し、振り分け機構６００に向けて前進する構成となっている。
誘導路５０４の進行方向の延長上には、一端を回動自在に軸支した可動片６０１とソレノイドからなる牌反転機構６５０が設けられている。牌反転機構６５０は牌１０を反転させるのに使用されるものであり、ソレノイド６２０によって駆動される可動片６０１は通常図示の位置にある。可動片６０１には磁石６０２が埋設されており、字面を下にして落下してくる牌１０は、磁石６０２によって吸引されて可動片６０１上で停止するよう構成されている。牌反転機構６５０の動作については、後述する。
【００３０】
次に、振り分け機構６００について説明する。振り分け機構６００は、整列機構５００より牌反転機構６５０を介して送られてきた牌１０を、後で詳しく説明する載置部７０１の下載置台７０２又は上載置台７０３のいずれか選択的に送り込むための機構である。振り分け機構６００は、牌を移動させるために必要な円盤回転体６０３とその駆動機構、及び、牌の軌道を制御するための振り分け板６０４とその駆動機構を有している。
【００３１】
図１２を参照して円盤回転体６０３について説明する。円盤回転体６０３は、円筒形の基部６０５を有しており、基部６０５の側面にフランジ状に薄板６０６が形成され、さらに薄板６０６上に基部６０５と同程度の厚さの棒状押し片６０７が等間隔に２個配設されており、基部６０５の中心は回転軸４０６（図５参照）に固着されている。
【００３２】
次に、図１３を参照して振り分け板６０４について説明する。振り分け板６０４は、円盤回転体６０３の基部６０５（図１２参照）と同半径の仰木型状基部６０８を備えており、仰木型状基部６０８の一端を延設した平板状基部６０９に、側壁６１０及び上板６１１が図示の如く形成されていると共に、ストッパ６１２が図示の位置に設けられている。基部６０８の中心には孔６１３が形成されており、孔６１３内に回転軸４０６（図５参照）を嵌挿し、これにより振り分け板６０４は回転軸４０６によって回動自在に支持されている。
ここで、図４も併せて参照すると、円盤回転体６０３の薄板６０６と、振り分け板６０４の側壁６１０との間隔は牌の幅より僅かに広い程度に保持されている。そして振り分け板６０４は、バネ６３０によって常時下側に向けられていると共に、リンク６１５を介してソレノイド６１４に連結しており、ソレノイド６１４を駆動することにより牌の出口を上方向に変更し、前方に配設されている、後述する押出機構７００の載置部７０１の下載置台７０２又は上載置台７０３上のいずれかに牌１０を振り分けて載置することができるように構成されている。
【００３３】
上述の如く構成されている振り分け機構６００による牌の振り分け動作について説明する。図１３には振り分け板６０４が下載置台７０２に向けられているときの状態が示されており、汲み上げ途中の牌１０と誘導路５０４上の牌１０と棒状押し片６０７に後端を押されて移送(移送手段)されている牌１０とが示されている。ここでは、磁石４０１Ｃと棒状押し片６０７との位相関係がほぼ９０度の状態が示されている。
【００３４】
図１４には、図１３において棒状押し片６０７に押されていた牌１０が下載置台７０２に押し込まれたときの状態が示されており、このとき誘導路５０４上にあった牌１０は可動片６０１内の磁石６０２に吸引され、汲み上げ途中であった牌１０は円筒回転体４０１上に汲み上げられている。
【００３５】
図１５及び図１６は振り分け板６０４が上載置台７０３に向けられているときの牌の移送状態を説明するためのものである。図１５において、可動片６０１上にある牌１０は、その後端下側を棒状押し片６０７によって押し上げられるようにして磁石６０２から剥離させられ、振り分け板６０４の平板上基部６０９上に押し出される。そして次に、図１６に示される如く、牌１０は押し片６０７によって平板上基部６０９上で前方に押されて前進し、さらに押し片６０７に押されて牌１０の先端が上載置台７０３上の中心まで進むと、載置部７０１の上部片７０４内にＳ極を下にして埋設されている磁石７０５によって吸引され、上載置台７０３上の所定の位置に載置される。
【００３６】
次に、図１７乃至図１９を参照し、牌反転機構６５０により振り分け機構６００に進入する前に牌１０を反転させる場合の動作について説明する。まず、図１７において、牌１０が円筒回転体４０１により汲み上げられ、牌１０の汲み上げが入口センサ４０３によって検知されると、この検知結果に応答してソレノイド４１０が作動し、仕切り片４５１が牌１０の通過を禁止する閉位置とされる。すなわち、牌反転機構６５０により牌１０を反転させる場合には、反転させるべき牌が入口センサ４０３により検出されたことに応答して進入口開閉機構４５０を動作させて仕切り片４５１を閉位置に切り換える。このとき、牌反転機構６５０のソレノイド６２０が作動して可動片６０１は図示の位置に後退し誘導路５０４の下方に位置して間隙６１６が形成される。この状態において、仕切り片４５１は開位置とされ、牌１０を汲み上げる誘導路５０４を落下滑走してくる牌１０は間隙６１６内に落下する。
【００３７】
図１８は、間隙６１６内に落下した牌１０がストッパ６１２によって受け止められている状態が示されている。図１８に示すようにストッパ６１２は、右肩上りに傾斜していて牌１０が受け止められたときに牌１０が左に傾いた状態で静止するように構成されている。なお、補助的に、振り分け板６０４の仰木型状基部６０８の裏側の適当な位置に磁石を埋設させても良い。
【００３８】
図１９は、ストッパ６１２上に載置されていた牌１０が棒状押し片６０７によって字面１０Ｂを上にした状態で仰木型状基部６０８に沿って移送される様子が示されている。牌１０は字面１０Ｂが上にされた状態で移動されていき、懸賞牌となるものである。この牌１０は、この後、平板状基部６０９上を移動し、下載置台７０２上に載置されるが、牌１０の平板状基部６０９から下載置台７０２への移動については、図１３及び図１４を用いて説明した場合と全く同様であるので、ここでの詳しい説明は省略する。
上述の如くして牌１０は振り分け機構６００から押出機構７００の載置部７０１の下載置台７０２又は上載置台７０３上へ載置される。図４を参照すると、振り分け機構６００によって振り分けられた牌１０は、振り分け機構６００から牌１０の進行方向上に設けられている押出機構７００に移送される。
【００３９】
図２０は押出機構７００の載置部７０１の斜視図、図２１は押出機構７００の斜視図、図２２は押出機構７００の立面図である。図１３、図２０〜図２２を参照して押出機構７００について説明する。
押出機構７００は、載置部７０１と押出部７３０とを備えて成っている。押出機構７００の載置部７０１は牌１０を載置するための下載置台７０２と上載置台７０３とを備えた２層構造部を有しており、下載置台７０２及び上載置台７０３の突き当たりにはストッパとして働く側壁７０６が設けられている。棒状押し片６０７によっていずれの載置台７０２、７０３に押し込まれた牌１０も側壁７０６によって制止されるようになっている。上載置台７０３の上方には、牌１０の厚さ分より若干大きい程度の間隔をあけて上部片７０４が設けられている。このようにして載置部７０１には牌１０を収容するための上部空間７４１と下部空間７４２とが形成されている。
【００４０】
上部空間７４１において、側壁７０６と対向する開口から牌１０が振り分け機構６００により上部空間７４１内に押し込まれてきて上載置台７０３上に載置される。
下部空間７４２においても、同様に、側壁７０６と対向する開口から牌１０が振り分け機構６００により下部空間７４２内に押し込まれてきて下載置台７０２上に載置される。側壁７０６には反射型フォトセンサ７０７及び７０８が設けられており、下載置台７０２上に載置された牌１０は反射型フォトセンサ７０７にて、また上載置台７０３上に載置された牌１０は反射型フォトセンサ７０８にて検知される。
【００４１】
載置部７０１に隣接して牌１０の進入方向に対して左側に押出部７３０が配設されている。押出部７３０は、上側押込み片７０９及び下側押込み片７１０を備えており、各押込み片７０９及び７１０は、Ｌ字状の連結アーム７１２の一端に上部空間７４１及び下部空間７４２にそれぞれ対向するように取り付けられており、連結アーム７１２の他端は摺動片７１１に連結されている。摺動片７１１は水平に保持された支持棒７１３に水平摺動自在に嵌挿されており、一方、連結アーム７１２の下側にはコロ７１４があって連結アーム７１２の水平運動を保持すると共に、図２２に示すように各押込み片７０９、７１０が取り付けられている連結アーム７１２の一端は、載置部７０１に水平に保持された支持棒７１２Ａに挿通されていて、各押込み片７０９、７１０の横振れを抑止している。（図９参照）。
【００４２】
ここで図４も併せて参照すると、駆動用歯車２０１の上方には２つのコロ７１５を等間隔に配設した回転板７１６が支持軸２０５に固着されており、一方、摺動片７１１の下方には当て板７１７が突設形成されていて、コロ７１５が矢印の向きに回転して当て板７１７に当接している間、摺動片７１１は点線で示す位置に前進する。摺動片７１１の上部には戻しバネ７１８があって、コロ７１５が当て板７１７からはずれると同時に摺動片７１１は元位置に後退する。コロ７１５と棒状押し片６０７の位相関係は棒状押し片６０７が下載置台７０２上に牌１０を押し込んだ直後にその棒状押し片６０７がほぼ水平になった時に、コロ７１５が当て板７１７に当接するように構成されている。
【００４３】
押出機構７００は上述の如く構成されているので、上載置台７０３上に載置された牌１０は、上載置台７０３上に押し込まれた直後に、上側押込み片７０９がＸ方向（図２２参照）に水平移動して点線で示す位置まで前進するので、上載置台７０３上の上部空間７４１内から脱出して押出機構７００から押し出される。牌１０が下部空間７４２内の下載置台７０２上に載置された場合には、牌１０が下載置台７０２上に押し込まれた直後に下側押込み片７１０がＸ方向に水平移動して点線で示す位置まで前進するので、下載置台７０２上の下部空間７４２内から脱出して押出機構７００から押し出されるようになっている。
【００４４】
図２２に示されているように、押出機構７００から押し出された牌１０を順次受け取って整列させるため、押出機構７００の牌１０の押し出し側で、載置部７０１を挟みその反対側には、待機機構８００が設けられている。
図２２を参照して待機機構８００について説明する。待機機構８００は、載置部７０１に一旦載置された牌１０が押出部７３０によって押し出されたときに、この押し出された牌１０を受け取って順次１段又は２段に整列させていき、これにより所要の配牌ブロック又は２段積牌ブロックを形成して待機させておくための機構である。待機機構８００は１段積の配牌ブロックが形成される配牌台８０１及び２段積牌ブロックが形成される待機台８０２とを備えて成っており、すなわち、待機機構には１段積の配牌ブロックが形成される第１の台（配牌台８０１）と２段積牌ブロックが形成される第２の台（待機台８０２）とが設けられ、待機台８０２は後述する駆動機構に連結されている。待機台８０２が原点位置（通常位置）にある時には、待機台８０２は下載置台７０２と同一レベル、又は僅かに低いレベルにある。一方、配牌台８０１は後述する駆動機構に連結しており、配牌台８０１が原点位置（通常位置）にあるときには、配牌台８０１は上載置台７０３と同一レベル、又は僅かに低いレベルに静止している。
【００４５】
押出機構７００の下載置台７０２上に振り分け載置された牌１０は下側押込み片７１０によって押し出されて下載置台７０２に隣接する待機台８０２上に移動する。そして次の牌１０が下載置台７０２上に載置され下側押込み片７１０によって押し出されてくると、先に待機台８０２上に載せられていた牌１０は次の牌１０に押圧され、図２２のＸ方向である下側押込み片７１０の押出す方向に牌１つ分だけ進む。上述の動作が所要の回数繰り返し行われることにより、下載置台７０２上に振り分け載置された牌１０が待機台８０２上に、先ず、所要の数だけ一段に整列される。
【００４６】
このようにして一段目の整列が終了すると、待機台８０２は牌１０の厚さ分だけ下降し、その後一段目の牌１０の上に上述と全く同様にして２段目に整列させるための牌１０が下載置台７０２から下側押込み片７１０により順次押し出される。一段目の牌１０の上に載せられた牌１０は、隣り合って押圧してくる牌１０により一段目の牌上を下側押込み片７１０の押出す方向に移動する。この動作が所要の回数繰り返されて一段目の牌１０上に二段目の牌１０が整列され、これにより所要の２段積牌ブロックが形成される。
【００４７】
一方、上載置台７０３上に振り分け載置された牌１０は、上側押込み片７０９によって押し出されて配牌台８０１上に移動する。そして次の牌１０が上載置台７０３上に載置され上側押込み片７０９によって押し出されると、先に配牌台８０１の上に載せられていた牌１０は、次に押し出されてきた牌１０によって押圧され、上側押込み片７０９の押出す方向に牌１つ分だけ移動する。この動作が所要の回数繰り返し行われることにより、上載置台７０３上に振り分け載置された牌１０は配牌台８０１上に整列され、所要の数の牌が１段１列の状態で形成され、これにより所要の配牌ブロックが形成される。以上の説明から判るように、振り分け機構６００及び押出機構７００によって、整列機構５００から送り出される牌１０を配牌台８０１（第１の台）上又は待機台８０２（第２の台）上のいずれか一方に送給するための選択送給機構を構成している。
【００４８】
上述した待機台８０２は、押出機構７００から牌を受け取るためだけでなく、待機台８０２上に形成された２段積牌ブロックを後述する昇降台９０１に移載させるため、上下動するようになっている。また、配牌台８０１は、待機台８０２が上方へ移動する場合に、待機台８０２の上方への移動を邪魔することがないように回動運動を行うように構成されている。
【００４９】
図２３、図２４を参照して待機台８０２を上下動させるための構成について説明する。待機台８０２は下面２カ所において直方体状の保持部材８０３に固定されており、この保持部材８０３の中央に設けたガイド孔がベース板１１５に垂直に立てられた支持軸８０４に嵌挿されており、これにより保持部材８０３は待機台８０２を上下摺動自在に支持する。保持部材８０３の下方側面には横溝８０５が形成されており、この横溝８０５には、アーム８０６の一端に設けたコロ８０７が嵌合している。
【００５０】
アーム８０６はベース板１１５をコの字状に折り曲げた側板８４０上に設けた固定軸８０８に回動自在に支持されていると共に付勢バネ８０９によって下方に付勢されている。アーム８０６の上方には、ベース板１１５の側板を貫通して回転自在に支持されているカム軸８１０が設けられている。アーム８０６のもう一方の端にはコロ８１１が設けられており、コロ８１１はカム軸８１０上に配設されたカム８１２に当接するように設けられている。
カム軸８１０は歯車８１３、８１４を介して駆動モータ８１５に連結しており、駆動モータ８１５を起動してカム軸８１０を一回転させると、待機台８０２は図で点線と実線とで示される間を１回上下運動を行う。また、カム軸８１０の一方の端には回転角を検出して駆動モータ８１５を停止制御するために、切欠を有したセンサ板８１６とフォトインタラプタ８１８ａ〜８１８ｃが配設されていて、この３組のセンサにより検出されたカム軸８１０の回転角に応じて待機台８０２の原点位置、下降位置、及び上昇位置が検出される。
【００５１】
次に、図２４及び図２５を参照して配牌台８０１の回動運動について説明する。配牌台８０１はベース板１１５の側板８４０に設けた固定軸８２０によって回動自在に支持されたアーム８２１の先端に固定されている。アーム８２１はバネ８２３によってばねが付勢されている。アーム８２１のもう一方の端にはコロ８２２があり、カム軸８１０上に設けたカム８１２に当接していて、カム軸８１０を矢印の方向に一回転すると配牌台８０１は点線と実線で示される位置の間を回動して往復動する。
【００５２】
このようにして待機台８０２の垂直往復動と、配牌台８０１の回転往復動とを一本のカム軸８１０の一回転によって行うもので、カム軸８１０とカム８１２との関係について以下に説明する。
カム軸８１０が原点位置にあるとき、待機台８０２は前述したように下載置台７０２の高さにあり、また、配牌台８０１は上載置台７０３の高さ位置にある。待機台８０２上に１段目（下段）の整列牌が形成されると駆動モータ８１５を起動してカム軸８１０を矢印の向きに回転させ、待機台８０２を下降させる。配牌台８０１は下降位置を維持する。待機台８０２が牌１個分下降した下降位置にてフォトインタラプタ８１８ｂはセンサ板８１６の切欠の開始端を検出して駆動モータ８１５を停止する。この状態にて待機台８０２上に２段目（上段）の整列牌が形成される。この状態で配牌台８０１上には配牌が、待機台８０２上には２段積み牌が形成される。
【００５３】
以上の説明から判るように、振り分け機構６００、押出機構７００及び待機機構８００によって、整列機構５００から送り出される牌１０を第１の台である配牌台８０１上に配牌ブロックとして形成してそこに待機させ、整列機構５００から送り出される牌１０を第２の台である待機台８０２上に２段積牌ブロックとして形成してそこに待機させておくためのブロック形成・待機機構が構成されている。
このようにして、配牌台８０１上に形成されて待機している配牌ブロックと、待機台８０２上に形成されて待機している２段積牌ブロックとは、移載機構として働く押し板機構１０００により選択的に昇降機構９００の昇降台９０１上に移載される構成となっている。
【００５４】
図３から判るように、上述の如く動作する配牌台８０１、待機台８０２上に形成された配牌ブロック、又は２段積牌ブロックを受け取り天板４上のレベルまで上昇させるため、配牌台８０１、待機台８０２の近傍に昇降台機構９００、及び押板機構１０００が設けられている。図２６も併せて参照すると、配牌台８０１、待機台８０２と昇降台機構９００、押板機構１０００との概略構成図が示されている。
【００５５】
図２６には、配牌台８０１及び待機台８０２に牌ブロックがいずれも形成されていない場合の状態が示されている。配牌台８０１、待機台８０２の本体２の中心側には上下動する昇降台９０１が設けられており、配牌台８０１の本体２の周縁側には、前後に水平移動する押し板１００４を含む押板機構１０００が設けられている。
【００５６】
図２７は昇降台機構９００の斜視図、図２８は昇降台機構９００の正面図である。図２４、図２７、図２８を参照して昇降台機構９００について説明する。Ｌ字状の昇降台９０１のほぼ中央には保持部材９０２が固定されている。保持部材９０２にはガイド孔が設けられており、このガイド孔にはベース板１１５に垂直に固定された支軸９０３が挿通されているので、保持部材９０２及び昇降台９０１は支軸９０３に沿って上下に運動することができる。保持部材９０２とベース板１１５の間には引張りバネ９０４が設けられており、引張りバネ９０４により昇降台９０１は常にベース板１１５に向かう方向に付勢されている。
保持部材９０２の下方には、支軸９０３に嵌挿して摺動部材９０６が設けられており、摺動部材９０６の背面には左右対称に長穴溝９０５が形成され、摺動部材９０６の一方の側面には前後方向に横溝９６４が形成されている。摺動部材９０６の両側には、それぞれ先端にコロ９０７を配したアーム９０８が保持部材９０９に固定され、この保持部材９０９は固定ピン９１０によって回動自在に支持されている。保持部材９０９先端のコロ９１１は摺動部材９０６の長穴溝９０５に勘合して設けられており、摺動部材９０６を上下させるとこれに連動して昇降台９０１は上下に運動することができるようになっている。
【００５７】
図２９は摺動部材９０６の駆動機構を説明するための説明図である。図２４及び図２９を参照して摺動部材９０６の駆動機構について説明すると、この駆動機構は、摺動部材９０６に隣接して設けたコの字状板金９６０上に設けられており、コの字状板金９６０の側面にはカム軸１０１０が回転自在に保持されている。このカム軸の一端は駆動モータ９１２に直結して設けられており、カム軸１０１０上には昇降台駆動用カム１０１１が配設されている。
昇降台駆動用カム１０１１の下方にはアーム９６１がコの字状板金９６０の側面間に設けた保持軸１００７によって回動自在に保持されている。アーム９６１の先端にはコロ９６２が、また、中間にはコロ９６３が設けられており、コロ９６２は横溝９６４に嵌合し、コロ９６３はカム１０１１に当接されている。カム軸１０１０の他端には、切欠を有したセンサ板９６５が設けられており、フォトインタラプタ９６６によって切欠が検出されて駆動モータ９１２が一回転制御される。摺動部材９０６は駆動モータ９１２により上下運動するよう構成されており、摺動部材９０６の上下動に連動して昇降台９０１も上下運動を行う。
【００５８】
図３０は、上述の如く構成されている昇降台機構９００の昇降台９０１上に、配牌台８０１に形成された配牌ブロック、又は待機台８０２上に形成された２段積牌ブロックを押し出して移動させるための押し板機構１０００について説明するための立面図であり、図２４、図３０を参照して押し板機構１０００について説明する。
コの字状の固定板１００１はベース板１１５の側面８４０上方にて固定されている（図２６参照）。この固定板１００１には図３に示すように一対の支持軸１０５１が設けられている。この一対の支持軸１０５１に縦溝１００２を有する摺動片１００３が水平往復動自在に嵌挿されている。断面Ｌ字状の押し板１００４は、図２６にて示される如く上面中央部がＴ字状に突設形成されており、この突設された部位を摺動片１００３に固定すると共に、両側には押し板１００４と固定板１００１との間に一対の付勢バネ１００５、１００５が設けられている。
アーム１００６は保持軸１００７に回動自在に保持されており、一端にはコロ１００８が設けられ、コロ１００８は摺動片１００３に形成されている縦溝１００２に当接して設けられている。アーム１００６の他端に設けられたコロ１００９は、カム軸１０１０上にカム１０１１に隣接して設けたカム１０１２に当接されている。そして、前述した駆動モータ９１２を一回転すると、押し板１００４は点線で示される位置と実線で示される位置との間で１回の水平往復運動を行う。
【００５９】
このようにして昇降台９０１の垂直往復動と、押し板１００４の水平往復動とを一本のカム軸１０１０の一回転によって行うものであって、昇降台駆動用カム１０１１とカム１０１２との関係は、駆動モータ９１２を起動して天板４の高さ位置にある昇降台９０１を所定の下降位置にまで下降させ、この状態で後退位置にある押し板１００４を前進させて整列牌を移載し、移載が終了して押し板１００４が後退を開始した時点で、昇降台９０１を上昇して整列牌を天板上に押し出し、昇降台９０１が天板４の位置に、また、押し板１００４が後退位置に達した時に駆動モータ９１２が停止するように構成されている。
【００６０】
待機機構８００、昇降台機構９００、押し板機構１０００は上述の如く動作するよう構成されており、図２３〜図２５を参照して配牌台８０１上の配牌が天板４上に移動してから待機台８０２上の２段積み牌が天板４上の高さ位置に上昇する際の動作について説明する。まず、駆動モータ９１２を一回転して昇降台９０１と押し板１００４を駆動し、配牌台８０１上の配牌を天板４上に押し出すと、駆動モータ８１５が起動してカム軸８１０が矢印の方向に回転する。
カム軸８１０の回転により、配牌台８０１が図中に点線で示される位置まで後退してその状態を維持し、この間、所定の下降位置にある待機台８０２が上昇を開始する。待機台８０２が昇降台９０１の下降位置の高さ位置まで上昇するとフォトインタラプタ８１８ｃはセンサ板８１６の切欠を検出し、この検出に応じて駆動モータ８１５が停止する。
【００６１】
この状態で再び駆動モータ９１２が一回転して昇降台９０１と押し板１００４が駆動され、２段積み牌が天板４上に押し出される。カム軸１０１０が原点位置に復帰した後、再度、駆動モータ８１５が回転すると、この回転により待機台８０２は下降を開始する。
待機台８０２が配牌台８０１の移動軌跡上からはずれた時点で配牌台８０１は原点位置への復帰動作を開始し、配牌台８０１及び待機台８０２が原点位置に復帰した位置にてフォトインタラプタ８１８ａがセンサ板８１６の切欠を検出し、この検出に応じて駆動モータ８１５が停止する。なお、当然のことながら、配牌を行わない場合は、配牌の移載・上昇動作は行われない。
【００６２】
図３１は、自動麻雀卓１の制御系統の構成を示すブロック図である。自動麻雀卓１には、操作用の各種スイッチ、及び牌１０の位置や各部材の位置等を検出するためのセンサからの出力に応答し、各種部材を駆動するためのソレノイド又はモータを制御して所要の作動を行わせるための制御演算を実行するための演算装置３０が設けられている。演算装置３０はマイクロコンピュータを用いたデータ処理装置として構成されていて、上述した各種制御動作を実行させるために必要な各種制御プログラムが予め格納されている。
また、演算装置３０のＲＯＭ３０Ａ内には図３７の[表１]に示すような６種類のゲームモードに対応して定められた２段積み牌及び配牌の配列パターンが所定のメモリ領域に格納されている。なお、表２での「花」は花牌を１組み、「花花」は花牌を２組み使用する場合である。
また、演算装置３０内に備えられたＲＡＭ３０Ｂには、(図示しないが)各種制御動作を実行するために必要な各種情報を一時的に保管しておく領域が設けられている。さらに、演算装置３０内にはマイクロコンピュータのクロックパルスに同期して動作する各種タイマやカウンタ等が備えられていて、これらを適宜操作することができるようになっている。
【００６３】
自動麻雀卓１には、上述した牌１０の汲み上げから配牌ブロック及び２段積牌ブロックを形成して天板上に持ち上げるまでの一連の機構が東、南、西、北の各場にそれぞれ１組ずつ設けられている。図３１では、東の場について、２つの入出力インターフェイス４１、４２を用いて各種の入出力情報を演算装置３０に入出力する詳細構成が示されているが、その他の各場についても同様である。
仕切片を回動するためのソレノイド４５３、入口センサ４０３、反転機構用のソレノイド６２０、振り分け板用のソレノイド６１４、上下載置台に設けられている反射型フォトセンサ７０７、７０８はインターフェイス４１を介して演算装置３０と接続されている。
昇降台用の駆動モータ９１２及びフォトインタラプタ９６６、待機台用の駆動モータ８１５と３つのフォトインタラプタ８１８ａ、８１８ｂ、８１８ｃとはインターフェイス４２を介して演算装置３０に接続されている。
【００６４】
また、演算装置３０にはこの他に４つの入出力インターフェイス４３、４４、４５、４６が接続されており、演算装置３０は各入出力インターフェイス４３〜４６とそれぞれ所要の入出力情報を入出力するよう構成されている。
天板スイッチ５１及び汲上機構２００及びターンテーブル１０１を駆動させる駆動モータ２０４は入出力インターフェイス４３を介して演算装置３０に接続されている。また、ゲーム選択スイッチ５２、ゲームモード表示器５３、懸賞牌有／無選択スイッチ５４、配牌有／無選択スイッチ５５は入出力インターフェイス４４を介して演算装置３０に接続されている。
入出力インターフェイス４５には蓋開閉モータ５６、開センサ５７、閉センサ５８が接続されており、これらのモータ及び各センサは入出力インターフェイス４５を介して演算装置３０に接続されている。スタートスイッチ６Ａ、スタートランプ５９、その他各種スイッチやランプ、センサ等が入出力インターフェイス４６を介して演算装置３０に接続されている。
【００６５】
図３２には、２段積牌ブロック（以下、単に２段積牌と称することがある）の形成、天板上への押し出しについての制御動作を説明するためのフローチャートが示されている。
処理が開始されると、ステップＳ１では、スタートスイッチ６ＡがＯＮとされたか否かが判別される。スタートスイッチ６ＡがＯＮとされず、ＯＦＦである場合には、再度ステップＳ１が実行される。スタートスイッチ６ＡがＯＮとされた場合にはステップＳ２に入る。
ステップＳ２では、牌投入口４Ａを開く処理が行われた後、ステップＳ３ではスタートスイッチ６ＡがＯＮとされたか否かが判別される。スタートスイッチ６ＡがＯＮとされず、ＯＦＦである場合にはステップＳ３に戻る。スタートスイッチ６ＡがＯＮとされた場合には、ステップＳ４に入る。
ステップＳ４では、スタートランプ５９をＯＦＦとする処理が行われ、ステップＳ５では牌投入口４Ａを閉じる処理が行われる。次に、ステップＳ６では予め形成され、待機していた２段積牌が天板４上に押し出され、ステップＳ７ではステップＳ２で取り込まれた牌を用いて２段積牌を形成する処理が行われる。
ステップＳ８では、２段積牌形成処理が完了したか否かが判別され、２段積牌形成処理が完了していない場合には、ステップＳ８の判別結果はＮＯとなり、ステップＳ７に戻る。２段積牌形成処理が完了した場合には、ステップＳ８の判別結果はＹＥＳとなり、ステップＳ９に入り、ここでは準備完了を示すスタートランプ５９をＯＮにする処理が行われ、その後ステップＳ１に戻る。
【００６６】
図３３には、懸賞牌を形成した２段積牌ブロックの形成、天板上への押し出しの場合の制御動作を説明するためのフローチャートが示されている。
処理が開始されると、ステップＳ２１ではスタートスイッチ６ＡがＯＮであるか否かが判別される。スタートスイッチ６ＡがＯＦＦである場合には、ステップＳ２１に戻り、スタートスイッチ６ＡがＯＮである場合には、ステップＳ２２に入る。
ステップＳ２２では牌投入口４Ａを開く処理が行われ、ステップＳ２３ではスタートスイッチ６ＡがＯＮであるか否かが判別される。スタートスイッチ６ＡがＯＦＦである場合にはステップＳ２３に戻り、スタートスイッチ６ＡがＯＮである場合にはステップＳ２４に入る。
ステップＳ２４ではスタートランプ５９をＯＦＦにする処理が行われ、ステップＳ２５では牌投入口４Ａを閉じる処理が行われる。ステップＳ２６では２段積牌を天板４上に押し出す処理が行われ、ステップＳ２７では乱数により懸賞牌の位置が決定される。ステップＳ２８では２段積牌を形成すると同時にその中に懸賞牌を配置する処理が行われる。乱数を用いることによりその処理が偶然的に行われることになるので好ましい。以下に説明する各種処理や切り換え等においても乱数を用いているが、同様の効果を期待することができる。
ステップＳ２９では懸賞牌の配置されている２段積牌を形成する処理が完了したか否かが判別される。懸賞牌の配置されている２段積牌を形成する処理が完了していない場合にはステップＳ２９の判別結果はＮＯとなり、ステップＳ２８に戻る。懸賞牌の配置されている２段積牌を形成する処理が完了した場合にはステップＳ２９の判別結果はＹＥＳとなり、ステップＳ３０に入る。ステップＳ３０ではスタートランプ５９をＯＮする処理が行われ、ステップＳ２１に戻る。
【００６７】
図３４は、配牌ブロック（以下、単に配牌と称することがある）及び２段積牌を天板４上に順次押し上げる場合の動作を説明するためのフローチャートである。
処理が開始されると、ステップＳ４１ではスタートスイッチ６ＡがＯＮ、ＯＦＦのいずれであるかが判別される。スタートスイッチ６ＡがＯＦＦである場合にはステップＳ４１に戻り、スタートスイッチ６ＡがＯＮである場合にはステップＳ４２に入り、ここでは牌投入口を開く処理が行われる。
ステップＳ４３ではスタートスイッチ６ＡがＯＮ、ＯＦＦいずれであるかが判別される。スタートスイッチ６ＡがＯＦＦの場合にはステップＳ４３に戻る。スタートスイッチ６ＡがＯＮの場合にはステップＳ４４に入り、ここでは牌投入口４Ａが閉じられる。
ステップＳ４５では、配牌を天板４上に押し出す処理が行われ、ステップＳ４６ではスタートスイッチ６ＡがＯＮ、ＯＦＦのいずれであるかが判別される。スタートスイッチ６ＡがＯＦＦの場合にはステップＳ４６に戻り、スタートスイッチ６ＡがＯＮである場合には、ステップＳ４７に入る。
【００６８】
ステップＳ４７では、スタートランプ５９がＯＦＦにされ、ステップＳ４８では２段積牌を天板４上に押し出す処理が行われる。ステップＳ４９では乱数を用いて懸賞牌の出る場を決定する処理が行われ、ステップＳ５０では懸賞牌の出る場に応じて配牌、及び、２段積み牌を形成するプロセスを決定する処理が行われる。ステップＳ５１では配牌及び２段積牌を形成すると同時にそれらの中に懸賞牌を配置する処理が行われる。
ステップＳ５２では配牌及び２段積牌を形成すると同時にそれらの中に懸賞牌を配置する処理が完了したか否かが判別され、配牌及び２段積牌を形成すると同時にそれらの中に懸賞牌を配置する処理が完了していない場合にはステップＳ５２の判別結果はＮＯとなり、ステップＳ５１に戻る。配牌及び２段積牌を形成すると同時にそれらの中に懸賞牌を配置する処理が完了した場合にはステップＳ５２の判別結果はＹＥＳとなり、ステップＳ５３に入る。
ステップＳ５３では、スタートランプ５９がＯＮとされ、ステップＳ４１に戻る。
【００６９】
次に自動麻雀卓１の動作について説明する。図１及び図３５を参照して４人用（１３６牌）、懸賞牌なし、配牌なしに設定した場合の自動麻雀卓１の動作について説明する。図３５はこの場合の２段積み牌の配列を示す平面図である。競技終了後は使用した牌は天板４上に散乱しており、もう一組の牌は既に２段積み整列状態で本体２内に待機している。この状態では、天板４中央に配設されているスタートスイッチ６Ａ内の照光ランプ（スタートランプ５９）は点灯しており、自動麻雀卓１を使用するための操作が可能であることを表示している。
【００７０】
使用者がスタートスイッチ６Ａを操作すると、天板４中央の牌投入口４Ａが開口され、使用者は使用済みの牌１０を牌投入口４Ａから本体２の内部に落とし込む。また、スイッチ操作が行われると同時に駆動モータ２０４が回転を開始して攪拌機構１００が作動状態とされるので、本体２内に投入された牌１０はターンテーブル１０１上で徐々に外側に拡散する。攪拌機構１００の作動に伴い汲上機構２００、整列機構５００、振り分け機構６００、及び押出機構７００が同時に作動を開始するが、汲上機構２００の入り口にある仕切片４５１は閉じられており、牌１０の汲み上げは禁止されている。
再度、使用者がスタートスイッチ６Ａを操作すると、駆動モータ９１２が作動して２段積み牌を天板４上に押し上げる。この作動完了と共に駆動モータ８１５が作動し配牌台８０１及び待機台８０２は原点位置にて停止する。スタートスイッチ６Ａ内の照光ランプを消灯し操作不能を表示すると共に仕切り片４５１が作動して開状態となり、汲み上げが可能とされる。
【００７１】
ターンテーブル１０１上の牌１０は攪拌されながら徐々に周縁に向かって移動する。周縁を移動中の牌１０にあって字面が下に向いている牌は牌反転用磁石１０４に反発し、字面を上に向けるよう反転する。また、字面を横に向けた立牌であっても状態によっては回転力を受けて回転し、字面を上に向けた状態となる。字面を横に向けた立牌１０は、攪拌機構１００の攪拌動作に伴い、次第に平伏状態となる。こうしてターンテーブル１０１の周縁を移動している牌１０は、障害壁１１３に到達するが、このとき平伏牌にあっては下方をすり抜け、一方、立牌にあっては障害壁１１３にあたって転倒するか、又は、立牌状態のまま障害壁１１３に沿って移動する。
回転中の円筒回転体４０１の吸着面４０１Ｂが下降位置にあって、その下方を移動中の字面を上にした牌１０は容易に吸着されて上方に汲み上げられる。円筒回転体４０１に吸着された牌１０は、案内部材５０１によって縦長の向きに統一されて上方に汲み上げられると共に、入口センサ４０３によって計数検知される。
【００７２】
汲み上げられた牌１０は誘導路５０４に進入して吸着面４０１Ｂから剥離され、誘導路５０４上を滑走した後、可動片６０１に吸引されて停止する。可動片６０１上の牌１０は回転している棒状押し片６０７に押されて磁石６０２から剥離すると共に、振り分け板６０４の仰木型状基部６０８に沿って前進し、棒状押し片６０７がほぼ水平状態になった辺りで、牌１０は下載置台７０２上に送り込まれる。
下載置台７０２上の牌１０は側壁７０６内に設けた反射型フォトセンサ７０７にて検知される。棒状押し片６０７が牌１０を下載置台７０２上に送り込んでから少し遅れて、下側押込み片７１０が前進して下載置台７０２上の牌１０を待機台８０２上に押し込んでいく。このようにして牌１０は次々と待機台８０２上に押し込まれていき、１段目の整列牌が形成されていく。
【００７３】
また、汲上機構２００の入り口に設けた入口センサ４０３によって１７牌目が検知されると、入り口の仕切片４５１が制御されて牌１０の汲み上げが禁止される。１７牌目の牌１０が下載置台７０２に到達して下側押込み片７１０によって待機台８０２上に押し込まれたことが反射型フォトセンサ７０７によって検知されると、所定時間後（下側押込み片７１０の運動時間を考慮した値）に駆動モータ８１５が起動されて待機台８０２が牌１個分下降する。フォトインタラプタ８１８ｂにて下降位置が検出されると駆動モータ８１５が停止されると共に、入り口の仕切片４５１が開状態とされて牌の汲み上げが再開されると、再び牌の整列動作が行われて２段目の整列牌が待機台８０２上に形成される。
【００７４】
そして入口センサ４０３によって３４牌目が検知されると、仕切片４５１が制御されて牌の汲み上げが禁止される。３４牌目の牌１０が待機台８０２上に押し込まれたことが反射型フォトセンサ７０７で検知されると、下側押込み片７１０の運動時間を考慮した時間である所定時間後に駆動モータ８１５が起動されて待機台８０２が上昇し、フォトインタラプタ８１８ｃが待機台８０２の上昇位置を検出すると駆動モータ８１５が停止する。このようにして、すべての２段積み牌が形成されると駆動モータ２０４が停止すると共にスタートスイッチ６Ａ内のスタートランプ５９が点灯され、待機状態であることが表示される。
天板４上において麻雀競技が終了し、スタートスイッチ６Ａを操作して牌投入口４Ａを開口し、牌１０を牌投入口４Ａから本体２内に投入した後、再度スタートスイッチ６Ａを操作すると、牌投入口４Ａが元位置に復帰されると共に、駆動モータ９１２が起動して昇降台９０１が下降し、押し板１００４によって待機台８０２上の２段積み牌が昇降台９０１上に移載され、昇降台９０１が上昇して２段積み牌が天板４上に上昇した位置をフォトインタラプタ８１８ａが検出すると駆動モータ９１２が停止する。
作動完了と共に駆動モータ８１５が作動し配牌台８０１及び待機台８０２は原点位置にて停止する。スタートスイッチ６Ａ内のスタートランプ５９が消灯され操作不能が表示されると共に仕切り片４５１が作動して汲み上げが可能になる。
上述の如くして２段積み牌が天板４上に押し出され、次の競技が開始される。
【００７５】
次に、上記条件にて懸賞牌を発生させて使用する場合について説明する。一連の動作は、上述した動作とほぼ同じなので、異なる部分についてのみ説明する。スタートスイッチ６Ａを操作して待機中の２段積み牌を天板４上に押し出すまでは上述と全く同様である。仕切片４５１を解放して牌１０の汲み上げを開始するのに先立ち、演算装置３０は乱数を用いて懸賞牌の位置を決定する。なお、懸賞牌を発生しない箇所を決めることもできる。これは通常の麻雀ゲームが二つのサイコロの目によって懸賞牌の位置が決まるため、これに合わせて構成されているものである。本例の４人用１３６牌の場合懸賞牌の発生する箇所はそれぞれの場において１〜１０番目及び１７番目であって、懸賞牌の位置は４４通りである。
【００７６】
自動麻雀卓の四辺は、便宜的に決められた東場、南場、西場、北場という、その自動麻雀卓に定義づけられた場(機械の場)の名称があり、例えば、ここでは東の５番目に懸賞牌を発生させることが制御装置により決定されたとする。懸賞牌の位置が決定されると、入り口に設けられている仕切片４５１が解放されて牌の汲み上げが開始され、２段積み牌の形成が開始される。懸賞牌の発生しない場、すなわち、南場、西場、北場については、前述の動作と同じことが行われる。
懸賞牌の発生する東場については、懸賞牌の発生するのは上段であるので、下段形成については上述と同じ動作によって行われる。待機台８０２上に１段目が形成され待機台８０２が牌１個分降下した後、仕切片４５１が解放されて牌の汲み上げが再開され、上段の形成が開始する。
【００７７】
入口センサ４０３が、２１牌目の牌（１７＋４）を検出すると、仕切片４５１が一旦閉じて牌の汲み上げが禁止される。２１牌目の牌１０が下載置台７０２に到達したことを反射型フォトセンサ７０７によって確認されるとソレノイド６１４が作動して可動片６０１が後退すると共に、再び仕切片４５１を解放して２２牌目の牌１個を汲み上げた後、再び仕切り片４５１を閉じ、牌の汲み上げを禁止する。
そして反転機構によって字面を上にした牌１０（懸賞牌）が下載置台７０２に到達したことを反射型フォトセンサ７０７によって確認すると、ソレノイド６１４の作動を停止して可動片６０１を元位置に戻すと同時に、再び仕切片４５１を解放して牌の汲み上げを行う。そして３４牌目の牌が入口センサ４０３によって検知されると、仕切片４５１を閉じて牌の汲み上げを禁止する。以降については前記と全く同様である。
【００７８】
次に懸賞牌と、配牌を発生させて使用する場合について説明する。
まず、本実施例１では４人用（１３６牌）に設定された場合で説明すると、図３７の[表１]でのゲームモード番号４の配牌有りの配列パターンが適用される。この場合、懸賞牌の位置は東場の上段、奥から３番目に、自動的に決定される。ここで、配列パターンについて説明すると、図３７の[表１]を参照すると配牌有りの場合はゲームモードに対応して各場の２段積み牌列数が異なっている。これは従来の自動麻雀卓が天板上に供給する正方形状に築牌された２段積み牌ブロックから配牌分を切り取ったあとの形態に似せるように設定されたもので、これを配列パターンと称する。この図３７の[表１]に表される配列パターンは機械の場毎に列数として定義されているが、配牌有りの２段積み牌の配列パターンに関しての場は仮の場（仮場）であり、この配列パターンは乱数による懸賞牌の出る場の決定に従って実際の機械の場上を移動する。例えば、図３７の[表１]の配牌有りでは、仮の場である東場の２段積み牌に懸賞牌が現れることになっているが、実際、乱数による懸賞牌の出る場の決定によって懸賞牌の出る場が西場と決定されたとき、図４０に示すように、機械の場の西場が仮の場の東場に相当するようになり、実際の西場（機械の場）に懸賞牌が現れる。このことは、従来の麻雀卓においてサイコロにより懸賞牌の出る場が決定されるのと同等の決め方になる。なお、この懸賞牌の出る場の決定に関して、詳しくは文献１を参照されたい。このような、正方形状に築牌された２段積牌ブロックから配牌分を切り取ったあとの形態に似通わせた配列パターンではプレーヤが最初につもる位置は明白で間違い難い。例えば、図４０に示す懸賞牌の出る場が西場の場合では、東場(機械の場)の２段積み牌のハッチングで示す位置であり、仮の場の西場の２段積み牌の仮の場の北場側の先端がその位置に当たる。このような配列パターンを採用した配牌と2段積み牌を自動形成する自動麻雀卓であっては従来の自動麻雀卓で行うのと同等の感覚が得られ、違和感が無く、間違い無いという効果がある。
【００７９】
以上、配牌有りの２段積み牌の配列パターンについて述べたが、図３７の[表１]に間して、配牌無しの２段積み牌列数、および、配牌有りの配牌数に関しては機械の場に対応することになる。
さて、懸賞牌と、配牌を発生させて使用する場合について引き続き説明すると、競技終了後は使用した牌は天板４上に散乱しており、もう１組の牌は配牌、及び２段積み牌の状態で卓内に待機している。この状態のときには、天板４中央にあるスタートスイッチ６Ａ内のスタートランプ５９は点灯しており、操作可能を表示している。
使用者がスタートスイッチ６Ａを操作して、牌投入口４Ａを開口し、使用済み牌を内部に投下する。再度、スタートスイッチ６Ａを操作すると、駆動モータ９１２を起動して昇降台９０１を下降し、押し板１００４によって配牌台８０１上の配牌を昇降台９０１上に移載した後、昇降台９０１を上昇させる。配牌が天板４上に上昇した位置をフォトインタラプタ１３９が検出すると駆動モータ９１２を停止させると共に、駆動モータ８１５を起動して待機台８０２を上昇し、フォトインタラプタ８１８ｃが上昇位置を検出すると駆動モータ８１５が停止する。この状態では、スタートスイッチ６Ａ内のスタートランプ５９が点灯していて、２段積み牌の天板４上への押し出し操作可能を表示する。
各競技者によって、すべての配牌が昇降台９０１上から取り除かれたのを確認して、再びスタートスイッチ６Ａを操作すると、駆動モータ９１２が起動して昇降台９０１が下降し、押し板１００４によって待機台８０２上の２段積み牌が昇降台９０１上に移載される。２段積み牌が載せられた昇降台９０１が上昇し、２段積み牌が天板４上の位置に上昇したことをフォトインタラプタ１３９が検出すると駆動モータ９１２が停止する。この作動完了と共に駆動モータ８１５が作動し配牌台８０１及び待機台８０２は原点位置にて停止する。そしてスタートスイッチ６Ａ内のスタートランプ５９が消灯し操作不能が表示される。
【００８０】
また、演算装置３０により乱数を用いて懸賞牌を出す場が決定されるが、この点について更に説明する。
例えば一般的な４人麻雀の使用牌数は１３６牌で、配牌数は１３牌であり、図３７に示される配牌パターンが適用される。配牌分を除いた２段積み牌の配列パターンは図３７に示される如く予め決められているので、どの場に懸賞牌を出すかが決定される。
そして南場が選択された場合、南場の右から６番目の位置に懸賞牌が発生するようになる。そして南場には８列の２段積み牌が、西場には１７列の２段積み牌が、北場も同様１７列の２段積み牌が形成され、東場には２段積み牌の形成が行われない。
【００８１】
次に、どの時点で配牌を行うかについて説明する。この配牌時期について特許文献１及び特許文献２によれば、乱数により汲み上げ時期Ｎを決定する。例えば、Ｎ牌汲み上げ後に配牌を行うと乱数により決定された場合は、まず、南場、西場、北場の入り口にある仕切片４５１を解放して牌を汲み上げ、２段積牌の形成を開始する。東場の仕切片４５１は解放しない。汲み上げられた牌は、それぞれの入口センサ４０３によって計数され、そのトータル値がＮになると、２段積み牌の形成を一旦止めて配牌が一斉に開始される。このように各場で汲み上げた牌のトータル値に基づいて配牌を一斉に行うようにすれば、従来のゲームにおいて２つのサイコロの出た目の偶発性によって配牌するのに形式的に似通わすことができるが、仕切り片４５１の開閉、振り分け板６０４の切り換えが頻繁になり、整列牌の形成時間が長引く傾向になるため、本実施例では、次に説明する配牌、及び、２段積み牌の形成プロセスに従い配牌時期を決めることにする。
【００８２】
ここで、本実施例では４人麻雀(４場に配牌)と３人麻雀(３場に配牌)の二通りについて説明する。４人麻雀においては図３７の[表１]に示すゲームモード４が一般的で、図３８の[表２]は一般的ゲームであるゲームモード番号４において、懸賞牌の出る場に対して規定されてＲＯＭ３０Ａ内に格納されている配牌、及び、２段積み牌の形成プロセスを示すものである。同様に、図３９［表３］は、３人麻雀の一般的ゲームであるゲームモード番号１について懸賞牌の出る場に対して規定されてＲＯＭ３０Ａ内に格納されている配牌、及び、２段積み牌の形成プロセスを示すものである。
前述したように、４人麻雀において４場に１３牌の配牌を行うので２段積み牌は偶数となる。一方、３人麻雀の場合、図３７の配牌有りの配列パターンが示すように、３場(東、西、南)に１３牌の配牌を行うので２段積み牌は奇数となり、通常、３人麻雀の場合は、北場の競技者が在席せず空きになるので、北場には配牌しない。
【００８３】
[４人麻雀の場合]
図３８の[表２]は、[表１] での４人用麻雀のゲームモード番号４の場合の牌形成のプロセスを表したもので、プロセス１〜プロセス４での２段積み牌形成、配牌形成の時期を表すものである。
まず、図３８の[表２]に沿って４人麻雀について説明すると、前述したように、懸賞牌の現れる場(懸賞牌の場)によって変化する機械の場の２段積み牌の配列パターンと、機械の場毎に設定された配牌数とによって定義された配牌、及び、２段積み牌の形成プロセスが[表２]の左欄のパターン１〜４が存在する。従って、右欄では、上記パターン１〜４での機械の場の東南西北でのプロセス１〜４を示しているが、基本的には前掲特許文献１と同じである。
図３８の[表２]について、パターン２の懸賞牌の場が機械の場で南場の場合には、南場が配列パターンでは東場(仮場)になり、２段積み牌の配列パターンを示す平面図が図３６に示すような状態になる。そこで、パターン２での配列パターンで南場から説明すると、まず、図４１で、プロセス１では２段積みの下段の８牌を待機台８０２上に形成し、２段積みの下段の８牌が形成されると、振り分け板６０４を載置部７０１側に向け、プロセス２において配牌台８０１上に配牌１３牌を形成する。次に、配牌１３牌が形成されると、振り分け板６０４を下載置台７０２側に向けるとともに、待機台８０２を牌の厚さ分下降させ、プロセス３の待機台８０２上に２段の上段積み牌を形成する。なお、待機台８０２は予め下降しておいても良い。なお、懸賞牌有りの設定ではプロセス３で懸賞牌が発生する。
西場も同様で、プロセス１では２段積み牌の下段１７牌を形成し、プロセス２に移って配牌１３牌を形成し、プロセス３に移って２段積み牌の上段１７牌を形成する。
北場についても西場と同様である。ここで、２段積み牌が形成されない東場においては、配牌１３牌のみの形成である。
【００８４】
[３人麻雀の場合]
次に、図３７の[表1]でのゲームモード番号１を選択した場合の３人麻雀について説明する。
図３９の[表３]に沿って３人麻雀について説明すると、図４０の３人麻雀における配牌と２段積み牌（１０８牌）の配列パターン([表３]のパターン３)に示すように、このゲーム例では、３人麻雀では、常に北場には配牌されない。しかし、２段積み牌については、懸賞牌の発生する場は４場であるから、北場にも２段積み牌が形成されるし、その場合は、東場、南場、西場のいずれかが、配牌のみになるケースが生じる。
さて、図４０に示す懸賞牌の出る場が西場の場合について図３９の[表３]のパターン３のプロセスに沿って説明するが、東場については、プロセス１で２段積み牌の下段１３牌が形成され、プロセス２では２段積み牌の上段１３牌が形成され、プロセス３では２段積み牌の下段に１牌が追加され、最後のプロセス４では配牌１３牌が形成される。これは、４人麻雀のプロセス２とは異なり、３人麻雀の場合には、配牌の為の配牌台８０１は、２段積み牌の完成を待って所定位置に復帰することになり、その間退避させる必要があり(図23等の待機台802の点線位置)、最後のプロセス４で配牌が形成される。
南場(懸賞牌の北場)については、プロセス１で配牌１３牌のみが形成される。  西場については、プロセス１で２段積み牌の下段８牌が形成され、プロセス２では配牌１３牌が形成され、プロセス３では２段積み牌の上段が形成される。 なお、懸賞牌有りの設定では西場のプロセス３で懸賞牌が発生する。
同様に、北場においては、プロセス１で２段積み牌の下段１３牌が形成され、プロセス２では２段積み牌の上段１３牌が形成される。
【００８５】
このことを、図３９の[表３]と図４１に沿って２段積み牌の先頭が形成される東場について説明すると、配牌のトータルが奇数であるから、プロセス１では、図４１(ａ)に示すように、２段積み牌の下段の１３牌が形成される。次に、プロセス２では、図４１(ｂ)に示すように、待機台８０２を牌の厚さ分下降し２段積み牌の上段の１３牌が形成される。これで２段１３列の２段積み牌が形成される。
プロセス３では、図４１(ｃ)に示すように、再度、待機台８０２を牌の厚さ分上昇させて下段に１牌を追加する。このとき、既に形成された２段１３列の２段積み牌は牌の幅分シフトする。このようにして、図４１(ｄ)に示すように２段積み牌の先頭の上段が１牌欠けた２段積み牌が形成される。最後にプロセス４では待機台８０２を牌の厚さ分下降した後、配牌の１３牌が形成される。
なお、懸賞牌の出る場が西場に選択された図４０に示すように、南場に２段積み牌が形成されない。この場合はプロセス１のみで配牌の１３牌の形成のみとなる。
なお、本実施例１では１３牌の配牌数であるが、本発明はこの数に限ったものではない。また、配牌パターン及び配牌形成のタイミング等、一例であってこの方法に限るものではなく、他の配牌パターン及び配牌形成のタイミングであってよいのは勿論である。
【００８６】
次に、実際の自動麻雀卓１の動作により本発明の実施例１を詳しく説明する。
実施例１は、２段積み牌が奇数の場合の実施例であるので、ゲームモード番号１が選択されたときの自動麻雀卓１の動作について説明する。
まず、上述したように、演算装置３０が乱数を用いて懸賞牌を出す場を決定するが、懸賞牌が西場と決定されたとすると、２段積み牌、配牌の構成は図４０の配列パターンに示すようになる。
演算装置３０が乱数を用いて懸賞牌を出す場を西場と決定すると、図３９の[表３]のパターン３に基づく形成プロセスにしたがい、[表３]でのプロセスに沿って仕切片４５１が制御される。なお、図３９の[表３]に示すように、東場に懸賞牌がでるパターン１では北場の仕切片４５１は常に閉鎖されていることになる。
各場の汲上機構２００により、パターン１の場合は北場を除き、牌１０は一斉に汲み上げが開始され、それぞれの入口センサ４０３によって牌１０が計数検知される。
【００８７】
東場は、本実施例１による先端部が１牌欠けた２段積み牌が形成されるので詳しく説明する。
東場において、汲み上げられた牌１０はプロセス１が実行されて、上述した２段積み牌形成過程によって（段落0072参照）、次々と待機台８０２に送られて２段積み牌の下段が形成される。汲上機構２００の入り口に設けた入口センサ４０３によって１３牌目が検知されると、入り口の仕切片４５１が制御されて牌１０の汲み上げが禁止される。１３牌目の牌１０が下載置台７０２に到達して下側押込み片７１０によって待機台８０２上に押し込まれたことが反射型フォトセンサ７０７によって検知されると、所定時間後（下側押込み片７１０の運動時間を考慮した値）に駆動モータ８１５が起動されて待機台８０２が牌１個分下降する。フォトインタラプタ８１８ｂにて下降位置が検出されると駆動モータ８１５が停止されると共に、プロセス２に入り、入り口の仕切片４５１が開状態とされて牌の汲み上げが再開されると、再び牌の整列動作が行われて２段目の整列牌（２段積み牌の上段）が待機台８０２上に形成される。
汲上機構２００の入り口に設けた入口センサ４０３によって２６牌目（上段１３牌）が検知されると、入り口の仕切片４５１が制御されて牌１０の汲み上げが禁止される。２６牌目の牌１０が下載置台７０２に到達して下側押込み片７１０によって待機台８０２上に押し込まれたことが反射型フォトセンサ７０７によって検知されると、所定時間後（下側押込み片７１０の運動時間を考慮した値）に駆動モータ８１５が、前回と逆回転して起動されて待機台８０２が牌１個分上昇する。フォトインタラプタ８１８ａにて上昇位置が検出されると駆動モータ８１５が停止されると共に、プロセス３に入り、入り口の仕切片４５１が開状態とされて牌の汲み上げを再開する。
【００８８】
汲上機構２００の入り口に設けた入口センサ４０３によって２７牌目（下段１４牌）が検知されると、入り口の仕切片４５１が制御されて牌１０の汲み上げが禁止される。２７牌目の牌１０が下載置台７０２に到達して下側押込み片７１０によって待機台８０２上に押し込まれたことが反射型フォトセンサ７０７によって検知されると、振り分け板６０４が上側に制御されると共に、所定時間後（下側押込み片７１０の運動時間を考慮した値）に駆動モータ８１５が前回と反対側（正回転）に起動されて待機台８０２が牌１個分下降する。フォトインタラプタ８１８ｂにて下降位置が検出されると駆動モータ８１５が停止され、プロセス４に入り、入り口の仕切片４５１が開状態となり牌の汲み上げが再開される。プロセス４では汲上機構２００によって汲み上げられた牌１０は、前述したように、配牌台８０１上に次々と整列牌（配牌）を形成して行く。こうして、配牌台８０１上に配牌が次第に形成され、入口センサ４０３が配牌数１３牌を検知すると、仕切片４５１にて閉塞され、１３牌目の牌１０が配牌台８０１上に押し込まれたことが反射型フォトセンサ７０８で検知されると、東場の全プロセスを終了する。
【００８９】
南場においては、配牌のみが行われるため、先ず、振り分け板６０４が上側に制御されてから、仕切り片４５１を開放して牌１０の汲み上げを開始する。汲み上げられた牌１０は入口センサ４０３によってカウントされ、振り分け板６０４によって上載置台７０３に移送され、上側押込み片７０９によって配牌台８０１上に次々と整列牌（配牌）を形成して行く。こうして、配牌台８０１上に配牌が次第に形成され、入口センサ４０３が配牌数１３牌を検知すると、仕切片４５１にて閉塞され、１３牌目の牌１０が配牌台８０１上に押し込まれたことが反射型フォトセンサ７０８で検知されると、南場の全プロセスを終了する。
西場においては、汲み上げられた牌１０はプロセス１が実行されて、上述した２段積み牌形成過程によって次々と待機台８０２に送られて２段積み牌の下段が形成される。汲上機構２００の入り口に設けた入口センサ４０３によって８牌目が検知されると、入り口の仕切片４５１が制御されて牌１０の汲み上げが禁止される。８牌目の牌１０が下載置台７０２に到達して下側押込み片７１０によって待機台８０２上に押し込まれたことが反射型フォトセンサ７０７によって検知されると、振り分け板６０４が上側に制御されると共に、所定時間後（下側押込み片７１０の運動時間を考慮した値）に駆動モータ８１５が起動されて待機台８０２が牌１個分下降する。
【００９０】
仕切り片４５１を開放して牌１０の汲み上げを行い配牌台８０１上に次々と整列牌（配牌）を形成して行く。こうして、配牌台８０１上に配牌が次第に形成され、入口センサ４０３が配牌数１３牌を検知すると、仕切片４５１にて閉塞され、配牌台８０１に所定数の１３牌が送り込まれたことが反射型フォトセンサ７０８によって検知されると、振り分け板６０４が下側に制御されると共に、仕切片４５１が解放されてプロセス３が開始される。プロセス３においては前述した懸賞牌発生方法(段落0077参照)で懸賞牌の生成が行われる。そして、入口センサ４０３が２段積み牌上段分の８牌を検知すると、仕切片４５１にて閉塞され、８牌目の牌１０が待機台８０２上に押し込まれたことが反射型フォトセンサ７０７で検知されると、西場の全プロセスを終了する。
北場においては、汲み上げられた牌１０はプロセス１が実行されて、次々と待機台８０２に送られて２段積み牌の下段が形成される。汲上機構２００の入り口に設けた入口センサ４０３によって１３牌目が検知されると、入り口の仕切片４５１が制御されて牌１０の汲み上げが禁止される。１３牌目の牌１０が下載置台７０２に到達して下側押し込み片７１０によって待機台８０２上に押し込まれたことが反射型フォトセンサ７０７によって検知されると、所定時間後（下側押し込み片７１０の運動時間を考慮した値）に駆動モータ８１５が起動されて待機台８０２が牌１個分下降する。フォトインタラプタ８１８ｂにて下降位置が検出されると駆動モータ８１５が停止されると共に、プロセス２に入り、入り口の仕切片４５１が開状態とされて牌の汲み上げが再開されると、再び牌の整列動作が行われて２段目の整列牌（２段積み牌の上段）が待機台８０２上に形成される。
【００９１】
入口センサ４０３が２段積み牌上段分の１３牌目を検知すると、仕切片４５１が閉塞され、２６(上段１３)牌目の牌１０が待機台８０２上に押し込まれたことが反射型フォトセンサ７０７で検知されると、北場の全プロセスを終了する。
上述の如くして、配牌形成、２段積み牌形成がすべて完了すると、スタートスイッチ６Ａ内のランプが点灯され、操作可能が表示される。
このように、実施例１では４人麻雀用の配牌・２段積み牌が自動的に形成されるとともに、３人麻雀用の配牌・２段積み牌も下載置台７０２上に送られた牌１０を、所定数、順次押し片によって待機台８０２に押し込み、まず、１段目の整列牌を形成し、図４１(ｂ)に示すように、待機台を牌の厚さ分下降して、１段目と同数の整列牌を１段目上に形成した後、図４１（ｃ）に示すように待機台８０２を元位置に上昇させ、最後の１牌を押込み片７１０によって押し込んで、上段牌の先頭が１牌欠けた状態の３人用の２段積み牌が、完全に自動的に形成される。
【００９２】
以上のように、本実施例によれば、４人で行う麻雀でも、３人で行う麻雀でも自動的に１３牌の配牌を行うことができ、かつ、２段積み牌も自動的に形成することができる。このための自動麻雀卓の制御装置は複数の形成・供給機構への牌の各供給をそれぞれ独立して許可・禁止するため複数の形成・供給機構に対応して設けられた複数の牌供給許可・禁止手段と、天板上に供給すべき配牌ブロックの配列パターンの配牌パターン情報のデータ、及び天板上に供給すべき正方形状に築牌された２段積牌ブロックから配牌分を切り取ったあとの形態が示す各場の２段積牌数が均等でない配列パターンの２段積牌パターン情報のデータを格納するデータ格納手段と、データ格納手段に格納された配牌パターン情報のデータと２段積牌パターン情報のデータとに基づいて各場における配牌数と２段積牌数とを決定する決定手段を有し、決定手段と計数手段とに応答し、該決定手段により決定された配牌数と２段積牌数とに従う配牌ブロックと２段積牌ブロックとが、複数の形成・供給機構によって前記各場にそれぞれ形成、供給されるよう前記複数の牌供給許可・禁止手段を制御するための制御手段とを備えるものである。
そして、各場に供給する配牌ブロックの牌数のトータルが奇数であって２段積み牌ブロックの牌数のトータルが奇数の時、２段積み牌の先端の上段が欠けた形状に形成する手段を有し、最初のプレーヤが２段積み牌からつもる牌が、１段目の牌をつもる、所謂、下自摸（シタヅモ）になるようにすることができる。
【実施例２】
【００９３】
本発明は、２段積みの先端の上段の１牌が欠けた形状に形成することを特徴とするもので、上述した実施例１の手段以外の装置・手順による２段積み牌形成手段を用いることができる。
実施例２は、図４２に示すようなもので、大半の装置の構成は実施例１と同じであるが、押出機構７００aの構成と、待機機構８００ａの操作手順が若干異なる。
図４２の(a)において、２段積牌の押込み片７１０ａを、例えば、ラック・ピニオン７６０と歯車７６１及び歯車駆動モータ７６２等の駆動による直線往復機構に連結し、載置台７０２ａに案内されている牌１０を待機台８０２aに移動させる。
この際、ラック・ピニオン７６０の適所にはセンサドッグ７６３を設けられ、これを感知するセンサを設けてラック・ピニオン７６０の移動量を検知している。
これらセンサは、センサドッグ７６３が原点（org）に位置したことを検知するセンサＯＲＧ７６４、原点からの牌1個分(距離：ａ)の移動を検知するセンサａ７６５と、牌２個分(距離：ｂ)の移動量を検知するセンサｂ７６６を設けて、移動量を制御しており、図４２の(ｂ)に示すように、通常は牌１個分の移動量(距離：ａ)を押し込んで、１段目の１４牌を形成し、２段目も同様に牌１個分の移動量(距離：ａ)を押し込んで２段目を形成し、最後の牌は牌２個分の移動量(距離：ｂ)で押し込むようにする。すなわち、最後だけ２個分の牌だけ押し込むようにして、下段の１４杯目の上は牌が存在しないようにしている。
なお、２段目は最初から牌２個分の移動量(距離：ｂ)で押し込むようにしても良いが、移動量が多い分、整列時間が長くなる。こうして、２段積みの先端の上段の１牌を欠けた形状を完成させる。なお、配牌の形成は実施例１と同じで２段積み牌形成後にすれば良く、或いは、配牌の待機台を退避する必要のない構成にすればよい。
【実施例３】
【００９４】
更に、本発明のさらに別の実施例３を、図４３に沿って説明するが、実施例３も２段積みの先端の上段の１牌が欠けた形状に牌形成するものである。
実施例３も、図４３に示すようなもので、大半の装置の構成は実施例１と同じで、出機構７００ｂの構成は実施例２と同じであるが、待機機構８００ｂの構成と操作手順が若干異なる。
図４３の(ａ)に示すように、実施例３の特徴は、実施例１での２段積み牌の待機台８０２を、第１待機台８０２ｂ１とし、この第１待機台８０２ｂ１と載置台７０２ｂとの間に別の動きをする牌１個を待機させる第２待機台８０２ｂ２を設けた点にある。
図４３の(ａ)において、第１待機台８０２ｂ１と第２待機台８０２ｂ２とは隣接して、１台の待機台を形成し、この第１待機台８０２ｂ１と第２待機台８０２ｂ２とからなる待機台に、実施例２の図４２のような２段積牌の押込み片７１０ｂで、載置台７０２ｂに案内されている牌１０を待機台８０２aに順次移動させ、第１待機台８０２ｂ１に１〜１３番目の積み牌を形成させ、第２待機台８０２ｂ２に１４番目の牌を載せる。
【００９５】
次に、図４３の(ｂ)に示すように、１４番目の牌を載せた第２待機台８０２ｂ２はそのままで、第１待機台８０２ｂ１だけを牌１０の厚さ分だけ降下させる。降下が完了すると、押込み片７１０ｂによって、第２待機台８０２ｂ２の１４番目の牌と、載置台７０２ｂの１５番目の牌とを、一緒に第１待機台８０２ｂ１上に形成された１段目の１３牌の上面に押し出し、図４３の(ｃ)に示すように、順次、１３牌(２６番目)を押しだし、２段積み牌の上段の１３牌を形成するとともに、第２待機台８０２ｂ２にも２７番目の牌を載せる。
最後に、図４３の(ｄ)に示すように、第２待機台８０２ｂ１を牌１０の厚さ分だけ降下させれば、上端が１３牌、下段が１４牌の３人麻雀用の２段積み牌の形成が完成する。なお、このようにして、２段積みの先端の上段の１牌を欠けた形状を完成させることができるが、２段積みの先端の上段の１牌が欠けていない通常の２段積み牌形成においては、図４３の（ｂ）の工程で、待機台８０２ｂ１と共に、待機台８０２ｂ２も牌１０の厚さ分下降すればよい。
【００９６】
以上、２段積みの先端の上段の１牌を欠けた形状を完成させる手段として、実施例１から実施例３を示したが、これらは、いずれも載置台７０２ｂを固定し待機台８０２ｂを上下させる構成であったが、相対的に逆の構成もあり得ることは言うまでもない。すなわち、固定した待機台８０２ｂ上に１段目を形成し、２段目の高さにある載置台７０２ｂに送られた牌１０を待機台８０２ｂ上の１段目上に押し込んで均等数の２段積み牌を形成し、再度、１段目の高さにある載置台７０２ｂに送られた最後の牌１０を１段目に押し込むようにしても２段積みの先端の上段の１牌を欠けた形状を完成させるようにできることは言うまでもない。
なお、各実施例では、２段積みの先端の上段の１牌を欠けた形状を完成させているが、２段積みの先端の上段の１牌に限らず必要に応じた所定数でよく、例えば、２段積みの先端の上段の２牌を欠けた形状を完成させることもできることは言うまでもない。
【００９７】
以上の詳述したように、本発明の各実施例によれば、４人で行う麻雀でも、３人で行う麻雀でも自動的に１３牌の配牌を行うことができ、かつ、２段積み牌も自動的に形成することができる。
なお、本発明の各実施例は、いずれも各場に１３牌ずつ、すなわち、各場に均等数の配牌について説明したが、配牌数のトータルが奇数のとき２段積み牌が偶数になる、いかなる場合も本発明が適用できることは言うまでもない。
また、本発明の特徴を損なうものでなければ、上述した各実施例に限定されるものではないことは勿論である。
【符号の説明】
【００９８】
１ 自動麻雀卓
２ 本体
３ 天板
４Ａ 牌投入口
６ 操作板
６Ａ スタートスイッチ
１０ 牌
１１ 磁石
１００ 攪拌機構
２００ 汲上機構
４５０ 進入口開閉機構
４５１  仕切片
５００ 整列機構
６００ 振り分け機構
６０４ 振り分け板
６１４  ソレノイド（振り分け板用）
６２０  ソレノイド（反転機構用）
６５０ 牌反転機構
７００,７００a,７００ｂ 押出機構
７０１  載置部
７０２ 下載置台
７０３ 上載置台
７０７  反射型フォトセンサ
７０８  反射型フォトセンサ
７０９ 上側押込み片
７１０，７１０ａ,７１０ b 下側押込み片
８００，８００ａ 待機機構
８０１ 配牌台
８１８ａ,ｂ,ｃ  フォトインタラプタ
８１５  駆動モータ
８０２,８０２ａ,８０２ｂ１、８０２ｂ２ 待機台
９００ 昇降台機構
９０１ 昇降台
１０００ 押板機構
１００４ 押し板
【図１】
0005455127.tif 000002
【図２】
0005455127.tif 000003
【図３】
0005455127.tif 000004
【図４】
0005455127.tif 000005
【図５】
0005455127.tif 000006
【図６】
0005455127.tif 000007
【図７】
0005455127.tif 000008
【図８】
0005455127.tif 000009
【図９】
0005455127.tif 000010
【図１０】
0005455127.tif 000011
【図１１】
0005455127.tif 000012
【図１２】
0005455127.tif 000013
【図１３】
0005455127.tif 000014
【図１４】
0005455127.tif 000015
【図１５】
0005455127.tif 000016
【図１６】
0005455127.tif 000017
【図１７】
0005455127.tif 000018
【図１８】
0005455127.tif 000019
【図１９】
0005455127.tif 000020
【図２０】
0005455127.tif 000021
【図２１】
0005455127.tif 000022
【図２２】
0005455127.tif 000023
【図２３】
0005455127.tif 000024
【図２４】
0005455127.tif 000025
【図２５】
0005455127.tif 000026
【図２６】
0005455127.tif 000027
【図２７】
0005455127.tif 000028
【図２８】
0005455127.tif 000029
【図２９】
0005455127.tif 000030
【図３０】
0005455127.tif 000031
【図３１】
0005455127.tif 000032
【図３２】
0005455127.tif 000033
【図３３】
0005455127.tif 000034
【図３４】
0005455127.tif 000035
【図３５】
0005455127.tif 000036
【図３６】
0005455127.tif 000037
【図３７】
0005455127.tif 000038
【図３８】
0005455127.tif 000039
【図３９】
0005455127.tif 000040
【図４０】
0005455127.tif 000041
【図４１（ａ）】
0005455127.tif 000042
【図４１（ｂ）】
0005455127.tif 000043
【図４１（ｃ）】
0005455127.tif 000044
【図４１（ｄ）】
0005455127.tif 000045
【図４２】
0005455127.tif 000046
【図４３】
0005455127.tif 000047
【図４４】
0005455127.tif 000048